(57)【要約】【課題】装置に生じる振動等や加わる荷重の変動や筐体内に入り込んだ電磁波等によって放射線の照射開始の誤検出が生じることを的確に防止することが可能な放射線画像撮影装置を提供する。【解決手段】放射線画像撮影装置１は、複数の走査線５や信号線６と、二次元状に配列された複数の放射線検出素子７とを備える検出部Ｐと、読み出し回路１７で読み出されたデータｄleak等に基づいて放射線の照射開始を検出する制御手段２２と、検出部Ｐ内に配置されたノイズ検出線５０と、ノイズ検出線５０に接続されたノイズ検出手段５１とを備え、制御手段２２は、データｄleak等が閾値ｄleak_th等以上になった時点でノイズ検出手段５１で検出された信号値Ｓｇとデータｄleakとに基づいて、放射線の照射が開始されたか放射線の照射開始を誤検出したかを判断する。【選択図】図９
2014150514.tif 000002
【特許請求の範囲】
【請求項１】
複数の走査線および複数の信号線と、二次元状に配列された複数の放射線検出素子とを備える検出部と、
前記各走査線にオン電圧とオフ電圧とをそれぞれ切り替えて印加する走査駆動手段と、
前記各走査線に接続され、オン電圧が印加されると前記放射線検出素子に蓄積された電荷を前記信号線に放出させるスイッチ素子と、
前記放射線検出素子から放出された前記電荷を画像データに変換して読み出す読み出し回路と、
放射線の照射が開始される前から少なくとも前記走査駆動手段と前記読み出し回路とを制御して、前記読み出し回路で読み出されたデータに基づいて放射線の照射が開始されたことを検出する制御手段と、
前記検出部内に配置されたノイズ検出線と、
前記ノイズ検出線に接続されたノイズ検出手段と、
を備え、
前記制御手段は、前記読み出し回路で読み出された前記データが閾値以上になった時点で前記ノイズ検出手段で検出された信号値と前記データとに基づいて、放射線の照射が開始されたか放射線の照射開始を誤検出したかを判断することを特徴とする放射線画像撮影装置。
【請求項２】
前記ノイズ検出線は、前記検出部の端部部分に設けられた前記信号線であり、
前記ノイズ検出手段は、前記ノイズ検出線としての前記信号線に接続されている前記読み出し回路であることを特徴とする請求項１に記載の放射線画像撮影装置。
【請求項３】
前記制御手段は、前記読み出し回路で読み出された前記データが閾値以上になった時点で、前記ノイズ検出手段で検出された前記信号値を前記データで除算した比が所定値未満である場合には放射線の照射が開始されたと判断し、前記比が前記所定値以上である場合には誤検出したと判断することを特徴とする請求項２に記載の放射線画像撮影装置。
【請求項４】
前記制御手段は、前記読み出し回路で読み出された前記データが閾値以上になった時点で、前記ノイズ検出手段で検出された前記信号値を、前記検出部上で前記ノイズ検出線としての前記信号線に隣接する前記信号線に接続されている前記読み出し回路から読み出された前記データで除算した比が所定値未満である場合には放射線の照射が開始されたと判断し、前記比が前記所定値以上である場合には誤検出したと判断することを特徴とする請求項３に記載の放射線画像撮影装置。
【請求項５】
前記ノイズ検出線は、前記検出部が形成された基板に取り付けられているフレキシブル回路基板にも配置されていることを特徴とする請求項１に記載の放射線画像撮影装置。
【請求項６】
前記画像データを読み出すことができない状態になっている、装置に既設の前記信号線または前記走査線を、前記ノイズ検出線として用いることを特徴とする請求項１に記載の放射線画像撮影装置。
【請求項７】
照射された放射線を光に変換して前記放射線検出素子に照射するシンチレーターを備え、かつ、前記検出部の一部は前記シンチレーターからの光が照射されないように構成されており、
前記検出部の一部に配置された前記信号線または前記走査線を、前記ノイズ検出線として用いることを特徴とする請求項１に記載の放射線画像撮影装置。
【請求項８】
前記検出部の一部に配置された前記信号線または前記走査線に接続される前記スイッチ素子は遮光されていることを特徴とする請求項７に記載の放射線画像撮影装置。
【請求項９】
前記検出部の一部の放射線が入射する側とその反対側とは、帯電防止部材が設けられていないことを特徴とする請求項７または請求項８に記載の放射線画像撮影装置。
【請求項１０】
前記制御手段は、前記読み出し回路で読み出された前記データが閾値以上になった時点で、前記ノイズ検出手段で検出された信号値が所定値未満である場合には放射線の照射が開始されたと判断し、前記ノイズ検出手段で検出された前記信号値が前記所定値以上である場合には誤検出したと判断することを特徴とする請求項５から請求項９のいずれか一項に記載の放射線画像撮影装置。
【請求項１１】
前記ノイズ検出線は、バイアス電源から逆バイアス電圧を前記放射線検出素子に印加するバイアス線であり、
前記ノイズ検出手段は、前記バイアス線を流れる電流を検出し、それに相当する信号値を出力する電流検出手段であり、
前記制御手段は、前記読み出し回路で読み出された前記データが閾値以上になった時点で、前記電流検出手段から出力された前記信号値が前記データと同相か逆相かに応じて、放射線の照射が開始されたことを検出したか誤検出したかを判断することを特徴とする請求項１に記載の放射線画像撮影装置。
【請求項１２】
前記データは、前記走査駆動手段から前記各走査線にオフ電圧を印加して前記各スイッチ素子をオフ状態とした状態で前記各スイッチ素子を介して前記各放射線検出素子からリークした前記電荷が前記読み出し回路で読み出されるリークデータ、または前記リークデータから算出した値であることを特徴とする請求項１から請求項１１のいずれか一項に記載の放射線画像撮影装置。
【請求項１３】
前記データは、前記走査駆動手段から前記各走査線にオン電圧を順次印加した場合に前記読み出し回路で読み出される照射開始検出用のデータ、または前記照射開始検出用のデータから算出した値であることを特徴とする請求項１から請求項１２のいずれか一項に記載の放射線画像撮影装置。
【発明の詳細な説明】
【技術分野】
【０００１】
本発明は、放射線画像撮影装置に係り、特に、放射線の照射が開始されたことを検出することが可能な放射線画像撮影装置に関する。
【背景技術】
【０００２】
照射されたＸ線等の放射線の線量に応じて検出素子で電荷を発生させて電気信号に変換するいわゆる直接型の放射線画像撮影装置や、照射された放射線をシンチレーター等で可視光等の他の波長の光に変換した後、変換され照射された光のエネルギーに応じてフォトダイオード等の光電変換素子で電荷を発生させて電気信号（すなわち画像データ）に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００３】
このタイプの放射線画像撮影装置はＦＰＤ（Flat Panel Detector）として知られており、従来は支持台と一体的に形成された、いわゆる専用機型（固定型等ともいう。）として構成されていたが（例えば特許文献１参照）、近年、放射線検出素子等を筐体内に収納し、持ち運び可能とした可搬型の放射線画像撮影装置が開発され、実用化されている（例えば特許文献２、３参照）。
【０００４】
このような放射線画像撮影装置では、例えば後述する図３等に示すように、通常、複数の放射線検出素子７が、検出部Ｐ上に二次元状（マトリクス状）に配列され、各放射線検出素子７にそれぞれ薄膜トランジスター（Thin Film Transistor。以下、ＴＦＴという。）等で形成されたスイッチ素子８が接続されて構成される。
【０００５】
そして、通常、放射線発生装置の放射線源から放射線画像撮影装置に対して、被撮影者の身体等すなわち被写体を介して放射線が照射されることで放射線画像撮影が行われる。そして、撮影後、ゲートドライバー１５ｂから走査線５の各ラインＬ１〜Ｌｘにオン電圧を順次印加して、各ＴＦＴ８を順次オン状態として、放射線の照射により各放射線検出素子７内で発生して蓄積された電荷を各信号線６に順次放出させて、各読み出し回路１７で画像データＤとしてそれぞれ読み出すように構成される。
【０００６】
ところで、このような放射線画像撮影装置を用いた従来の放射線画像撮影システムでは、放射線画像撮影装置と放射線発生装置との間で信号のやり取りを行って放射線画像撮影を行っていた。しかし、例えば、放射線画像撮影装置と放射線発生装置の製造元が異なっているような場合には、両者の間でインターフェースを構築することが必ずしも容易でない場合があり、或いは、インターフェースを構築できない場合もある。
【０００７】
このような場合、放射線画像撮影装置の側から見ると、放射線源からどのようなタイミングで放射線が照射されるかが分からないため、このような場合には、放射線画像撮影装置が、放射線源から放射線が照射されたことを装置自体で検出できるように構成される必要がある。そして、このように放射線画像撮影装置自体で放射線の照射開始を検出して撮影を行うことが可能な放射線画像撮影装置が種々開発されている。
【０００８】
そして、本発明者らが、放射線画像撮影装置自体で放射線が照射されたことを検出する手法について種々研究を重ねた結果、放射線画像撮影装置自体で放射線が照射されたことを的確に検出することが可能な手法を見出すことができた（例えば特許文献４、５参照）。これらの新たな検出方法では、放射線画像撮影前に各読み出し回路１７で読み出されたデータに基づいて放射線の照射が開始されたことを検出するように構成されるが、これらの点については、後で説明する。
【０００９】
そして、放射線画像撮影装置の制御手段は、上記のように各読み出し回路１７で読み出されたデータを監視するように構成され、放射線が照射されたことによりデータが例えば設定された閾値以上に大きくなった時点で放射線の照射が開始されたことを検出するように構成される。
【先行技術文献】
【特許文献】
【００１０】
【特許文献１】特開平９−７３１４４号公報
【特許文献２】特開２００６−０５８１２４号公報
【特許文献３】特開平６−３４２０９９号公報
【特許文献４】国際公開第２０１１／１３５９１７号パンフレット
【特許文献５】国際公開第２０１１／１５２０９３号パンフレット
【発明の概要】
【発明が解決しようとする課題】
【００１１】
ところで、本発明者らの研究では、上記のように構成された放射線画像撮影装置を、例えばブッキー装置に装填する際にブッキー装置にぶつけたり、或いはブッキー装置には装填せずに患者の身体に直接あてがったりして使用する際などに、放射線画像撮影装置に振動等が生じると、読み出されるデータの値が異常に大きくなる場合があることが分かってきた。
【００１２】
また、例えば、放射線画像撮影装置上に患者の手足等の身体を載置する際や、放射線画像撮影装置上に載置されていた患者の身体を移動させる場合のように、放射線画像撮影装置に加わる荷重が変動する場合（すなわち荷重変動が生じる場合）にも、読み出されるデータの値が大きくなったり小さくなったりすることが分かってきた。
【００１３】
このような現象が生じる原因は、必ずしも明確に判明しているわけではないが、例えば所定の電荷量が蓄積されたコンデンサーの両極間の間隔が変化すると、両極間の電位差が変化するのと同様に、放射線画像撮影装置内で、それぞれに静電気が蓄積された、放射線検出素子７が形成された基板とシンチレーターが形成された基板の間隔が振動や荷重変動等によって変化することで、それらの間の電位差が変化する。
【００１４】
そして、その電位差の変動に起因して装置内の信号線６等の各配線中を電流が流れること等によって、読み出されるデータの値が変化してしまうことも原因の１つと考えられている。
【００１５】
また、放射線画像撮影装置に振動等が生じると、後述するフレキシブル回路基板１２（後述する図４参照）が振動するため、それに組み込まれている読み出しＩＣ１６が振動することも原因の１つであり得ると考えられている。
【００１６】
一方、放射線画像撮影装置と他のコンピューター等との間の通信を無線方式で行うことができるように構成すると、放射線画像撮影装置の側面等に設けられたアンテナ装置が拾った電磁波が装置の内部にまで入り込み、装置内部に入り込んだ電磁波の影響で、上記のようにして読み出されるデータの値が変化してしまう場合があることも分かってきた。
【００１７】
そして、上記のような原因で、読み出したデータの値が大きな値に変化すると、実際には放射線画像撮影装置に対して放射線が照射されていないにもかかわらず、読み出されたデータの値が閾値以上に大きくなってしまい、放射線の照射が開始されたと誤検出されてしまう虞れが生じる。
【００１８】
そして、このような誤検出が生じると、放射線画像撮影装置は、後述するように自動的に電荷蓄積状態に移行し、画像データＤの読み出し処理を行ってしまう。しかし、実際には放射線画像撮影装置には放射線が照射されておらず被写体が撮影されていないため、読み出された画像データＤが無駄になり、放射線画像撮影装置では、無駄に読み出し処理を行った分だけ電力が無駄に消費されてしまう等の問題が生じる。
【００１９】
また、放射線技師等の操作者は、放射線の照射開始を誤検出してその後の処理を開始してしまっている放射線画像撮影装置にその処理を停止させて、元の放射線の照射開始を検出する検出処理を行う状態に戻すという処理を行わなければならなくなり、放射線画像撮影装置が操作者にとって使い勝手が悪いものとなってしまう。また、被写体である患者にもその間待ってもらわなければならなくなり、患者にとっても不便なものとなってしまう。
【００２０】
本発明は、上記の点を鑑みてなされたものであり、装置に振動等が生じたり、加わる荷重に変動が生じたり、電磁波が入り込む等しても、放射線の照射開始の誤検出が生じることを的確に防止することが可能な放射線画像撮影装置を提供することを目的とする。
【課題を解決するための手段】
【００２１】
前記の問題を解決するために、本発明の放射線画像撮影装置は、
複数の走査線および複数の信号線と、二次元状に配列された複数の放射線検出素子とを備える検出部と、
前記各走査線にオン電圧とオフ電圧とをそれぞれ切り替えて印加する走査駆動手段と、
前記各走査線に接続され、オン電圧が印加されると前記放射線検出素子に蓄積された電荷を前記信号線に放出させるスイッチ素子と、
前記放射線検出素子から放出された前記電荷を画像データに変換して読み出す読み出し回路と、
放射線の照射が開始される前から少なくとも前記走査駆動手段と前記読み出し回路とを制御して、前記読み出し回路で読み出されたデータに基づいて放射線の照射が開始されたことを検出する制御手段と、
前記検出部内に配置されたノイズ検出線と、
前記ノイズ検出線に接続されたノイズ検出手段と、
を備え、
前記制御手段は、前記読み出し回路で読み出された前記データが閾値以上になった時点で前記ノイズ検出手段で検出された信号値と前記データとに基づいて、放射線の照射が開始されたか放射線の照射開始を誤検出したかを判断することを特徴とする。
【発明の効果】
【００２２】
本発明のような方式の放射線画像撮影装置によれば、放射線画像撮影装置に対して放射線の照射が開始された場合には放射線の照射が開始されたと的確に判断して照射開始を的確に検出することが可能となる。また、放射線画像撮影装置に振動等が生じたり、加わる荷重が変動したり、或いは、放射線画像撮影装置の筐体内に電磁波が入り込む等しても、振動等による誤検出であると的確に判別して、放射線の照射開始の誤検出が生じることを的確に防止することが可能となる。
【００２３】
そのため、放射線の照射開始を誤検出してしまい、無駄に画像データＤが読み出される等して放射線画像撮影装置の電力が無駄に消費されてしまう等の問題が生じることを的確に防止することが可能となる。また、放射線技師等の操作者が、放射線の照射開始を誤検出した放射線画像撮影装置を元の放射線の照射開始の検出処理を行う状態に戻す処理を行うことも不要になり、放射線画像撮影装置１が操作者にとって使い勝手が良いものとなる。
【図面の簡単な説明】
【００２４】
【図１】放射線画像撮影装置の断面図である。
【図２】放射線画像撮影装置の基板の構成を示す平面図である。
【図３】放射線画像撮影装置の基本構成における等価回路を表すブロック図である。
【図４】フレキシブル回路基板やＰＣＢ基板等が取り付けられた基板を説明する側面図である。
【図５】各ＴＦＴを介して各放射線検出素子からリークした各電荷がリークデータとして読み出されることを説明する図である。
【図６】読み出されるリークデータの時間的推移の例を表すグラフである。
【図７】リークデータに基づいて放射線の照射開始を検出する場合に各走査線にオン電圧を印加するタイミング等を説明するタイミングチャートである。
【図８】放射線画像撮影装置を装填可能なブッキー装置の例を表す斜視図である。
【図９】放射線画像撮影装置の検出部に設けられたノイズ検出線やノイズ検出手段を表す図である。
【図１０】信号線が接続されていない読み出し回路をノイズ検出手段として用いる場合の例を表す図である。
【図１１】信号線等の上方に設けられたノイズ検出線等を表す断面図である。
【図１２】シンチレーターで覆われた基板上の領域の外にも検出部が設けられた場合を説明する側面図である。
【図１３】放射線画像撮影装置のバイアス線等に電流検出手段が設けられた場合の等価回路を表すブロック図である。
【図１４】（Ａ）放射線が照射された場合に装置内を流れる電流等を説明する概略図であり、その際の（Ｂ）リークデータおよび（Ｃ）信号値の変化を説明するグラフである。
【図１５】（Ａ）装置に振動等が生じる等した場合に装置内を流れる電流等を説明する概略図であり、その際の（Ｂ）リークデータおよび（Ｃ）信号値の変化を説明するグラフである。
【図１６】検出部上に存在する、画像データを読み出すことができなくなっている放射線検出素子を表す図である。
【発明を実施するための形態】
【００２５】
以下、本発明に係る放射線画像撮影装置の実施の形態について、図面を参照して説明する。
【００２６】
なお、以下では、放射線画像撮影装置として、シンチレーター等を備え、照射された放射線を可視光等の他の波長の光に変換して電気信号を得るいわゆる間接型の放射線画像撮影装置について説明するが、本発明は、シンチレーター等を介さずに放射線を放射線検出素子で直接検出する、いわゆる直接型の放射線画像撮影装置に対しても適用することができる。
【００２７】
また、放射線画像撮影装置がいわゆる可搬型である場合について説明するが、支持台等と一体的に形成された、いわゆる専用機型の放射線画像撮影装置に対しても、本発明を適用することが可能である。
【００２８】
［放射線画像撮影装置の構成等について］
本実施形態に係る放射線画像撮影装置の構成等について説明する。図１は、本実施形態に係る放射線画像撮影装置の断面図であり、図２は、放射線画像撮影装置の基板の構成を示す平面図である。なお、図１や図２および以下の各図では、現実の装置における各部材の相対的な大きさや配置等が必ずしも正確に表されていない。
【００２９】
なお、以下の説明では、「上側」や「下側」という場合、すなわち上下方向については、放射線画像撮影装置１を仮想的な水平面上に載置した場合の上下方向として説明する。従って、放射線画像撮影装置１を立てた状態で用いる場合（すなわち例えば放射線画像撮影装置１を後述する図８に示す立位撮影用のブッキー装置１００に装填するような場合）には、この上下方向は当然左右方向或いは前後方向ということになる。
【００３０】
本実施形態では、放射線画像撮影装置１は、図１に示すように、放射線が照射される側の面である放射線入射面Ｒを有する筐体２内に、シンチレーター３や基板４等で構成されるセンサーパネルＳＰが収納されて構成されている。また、図１では図示を省略するが、本実施形態では、筐体２には、無線方式で画像データＤ等のデータを送信したり信号を送受信する通信手段であるアンテナ装置４１（後述する図３参照）が設けられている。
【００３１】
また、図１では図示を省略するが、本実施形態では、放射線画像撮影装置１は、筐体２の側面等にコネクターを備えており、コネクターを介して有線方式で信号やデータ等を送受信することもできるようになっている。
【００３２】
図１に示すように、筐体２内には、基台３１が配置されており、基台３１の放射線入射面Ｒ側（すなわち基台３１の上面側）に図示しない鉛の薄板等を介して基板４が設けられている。そして、基板４の上面側には、照射された放射線を可視光等の光に変換するシンチレーター３がシンチレーター基板３４上に設けられ、シンチレーター３が基板４側に対向する状態で設けられている。
【００３３】
また、基台３１の下面側には、電子部品３２等が配設されたＰＣＢ基板３３やバッテリー２４等が取り付けられている。このようにして、基台３１や基板４等でセンサーパネルＳＰが形成されている。また、本実施形態では、センサーパネルＳＰと筐体２の側面との間に緩衝材３５が設けられている。
【００３４】
本実施形態では、基板４はガラス基板で構成されており、図２に示すように、基板４の上面（すなわちシンチレーター３に対向する面）４ａ上には、複数の走査線５と複数の信号線６とが互いに交差するように配設されている。また、基板４の面４ａ上の複数の走査線５と複数の信号線６により区画された各小領域ｒには、放射線検出素子７がそれぞれ設けられている。
【００３５】
このように、走査線５と信号線６で区画された各小領域ｒに二次元状（マトリクス状）に配列された複数の放射線検出素子７が設けられた小領域ｒの全体、すなわち図２に一点鎖線で示される領域が検出部Ｐとされている。本実施形態では、放射線検出素子７はフォトダイオードが用いられているが、例えばフォトトランジスター等を用いることも可能である。
【００３６】
図３は、本実施形態に係る放射線画像撮影装置１の等価回路を表すブロック図である。各放射線検出素子７の第１電極７ａには、スイッチ素子であるＴＦＴ８のソース電極８ｓ（図３の「Ｓ」参照）が接続されている。また、ＴＦＴ８のドレイン電極８ｄとゲート電極８ｇ（図３の「Ｄ」および「Ｇ」参照）はそれぞれ信号線６と走査線５に接続されている。
【００３７】
また、本実施形態では、図２や図３に示すように、基板４上で１列の各放射線検出素子７ごとに１本の割合で各放射線検出素子７の第２電極７ｂにそれぞれバイアス線９が接続されており、各バイアス線９は基板４の検出部Ｐの外側の位置で結線１０に結束されている。そして、結線１０は入出力端子１１（図３では図示省略。図２参照）を介してバイアス電源１４に接続されており、バイアス電源１４から結線１０や各バイアス線９を介して各放射線検出素子７の第２電極７ｂに逆バイアス電圧が印加されるようになっている。
【００３８】
なお、本実施形態では、各入出力端子１１には、図４に示すように、後述する読み出しＩＣ１６や走査駆動手段１５のゲートドライバー１５ｂを構成するゲートＩＣ１５ｄ等のチップがフィルム上に組み込まれたフレキシブル回路基板１２が、異方性導電接着フィルム（Anisotropic Conductive Film）や異方性導電ペースト（Anisotropic Conductive Paste）等の異方性導電性接着材料１３を介して接続されている。
【００３９】
そして、フレキシブル回路基板１２は、基板４の裏面４ｂ側に引き回され、裏面４ｂ側で前述したＰＣＢ基板３３に接続されるようになっている。このようにして、放射線画像撮影装置１のセンサーパネルＳＰが形成されている。なお、図４では、電子部品３２等の図示が省略されている。
【００４０】
一方、各走査線５は、それぞれ走査駆動手段１５のゲートドライバー１５ｂにそれぞれ接続されている。走査駆動手段１５では、配線１５ｃを介して電源回路１５ａからゲートドライバー１５ｂにオン電圧とオフ電圧が供給されるようになっており、ゲートドライバー１５ｂで走査線５の各ラインＬ１〜Ｌｘに印加する電圧をオン電圧とオフ電圧との間でそれぞれ切り替えるようになっている。
【００４１】
そして、ＴＦＴ８は、走査駆動手段１５から走査線５を介してゲート電極８ｇにオン電圧が印加されるとオン状態となり、放射線検出素子７内に蓄積されている電荷を信号線６に放出させる。また、走査線５を介してゲート電極８ｇにオフ電圧が印加されるとオフ状態となり、放射線検出素子７から信号線６への電荷の放出を停止して、放射線検出素子７内に電荷を蓄積させるようになっている。
【００４２】
そして、例えば各放射線検出素子７からの画像データＤの読み出し処理の際には、各放射線検出素子７のＴＦＴ８にオン電圧が印加されてオン状態とされると、各放射線検出素子７内から信号線６に電荷がそれぞれ放出されて、読み出しＩＣ１６内に設けられた各読み出し回路１７に流れ込む。
【００４３】
本実施形態では、読み出し回路１７の増幅回路１８は、後述する図５に示すように、オペアンプ１８ａとコンデンサー１８ｂ等が並列に接続されたチャージアンプ回路で構成されており、増幅回路１８では、コンデンサー１８ｂに蓄積された電荷量に応じた電圧値がオペアンプ１８ａの出力側から出力される。
【００４４】
相関二重サンプリング回路１９は、各放射線検出素子７から電荷が流れ込む前後に増幅回路１８から出力された値の差分をアナログ値の画像データＤとして下流側に出力する。そして、出力された各画像データＤがアナログマルチプレクサー２１を介してＡ／Ｄ変換器２０に順次送信され、Ａ／Ｄ変換器２０でデジタル値の画像データＤに順次変換されて記憶手段２３に出力されて順次保存されるようになっている。なお、図３では、相関二重サンプリング回路１９はＣＤＳと表記されている。
【００４５】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等により構成されている。専用の制御回路で構成されていてもよい。
【００４６】
そして、制御手段２２は、走査駆動手段１５や読み出し回路１７を制御して上記のように画像データＤの読み出し処理を行わせるなど、放射線画像撮影装置１の各機能部の動作等を制御するようになっている。また、図３に示すように、制御手段２２には、ＳＲＡＭ（Static ＲＡＭ）やＳＤＲＡＭ（Synchronous ＤＲＡＭ）等で構成される記憶手段２３が接続されている。
【００４７】
また、本実施形態では、制御手段２２には、前述したアンテナ装置４１が接続されており、さらに、走査駆動手段１５や読み出し回路１７、記憶手段２３、バイアス電源１４等の各機能部に必要な電力を供給するバッテリー２４が接続されている。
【００４８】
［放射線の照射開始の検出方法について］
次に、本実施形態に係る放射線画像撮影装置１で用いられる放射線の照射開始の検出方法の基本的な構成について説明する。
【００４９】
本実施形態では、前述したように、放射線画像撮影装置１と放射線発生装置（図示省略）との間でインターフェースを構築せず、放射線画像撮影装置１自体で放射線発生装置から放射線が照射されたことを検出するように構成されている。そして、放射線の照射開始の検出方法としては、例えば、前述した特許文献４、５に記載された検出方法を採用することが可能である。以下、これらの検出方法について簡単に説明する。
【００５０】
［検出方法１］
放射線画像撮影装置１に放射線が照射される前から、ゲートドライバー１５ｂ（図３参照）から各走査線５にオフ電圧を印加した状態で各読み出し回路１７に読み出し動作を行わせて、リークデータｄleakの読み出し処理を繰り返し行わせるように構成することが可能である。なお、この検出方法１については、本願出願人が先に提出した上記の特許文献４に記載されており、詳しくは同公報を参照されたい。
【００５１】
ゲートドライバー１５ｂ各走査線５にオフ電圧を印加して各ＴＦＴ８をオフ状態とした状態では、図５に示すように、オフ状態になっている各ＴＦＴ８を介して各放射線検出素子７からリークする電荷ｑが増幅回路１８のコンデンサー１８ｂに蓄積される。すなわち、増幅回路１８のコンデンサー１８ｂには、各ＴＦＴ８を介して各放射線検出素子７からリークした電荷ｑの合計値が蓄積される。
【００５２】
そのため、この状態で読み出し回路１７で読み出し動作を行うと、増幅回路１８のオペアンプ１８ａの出力側からは、各ＴＦＴ８を介して各放射線検出素子７からリークした電荷ｑの合計値に応じた電圧値が出力される。そのため、各ＴＦＴ８を介してリークした電荷ｑの合計値に相当するデータが読み出される。このようにして読み出されたデータがリークデータｄleakである。
【００５３】
そして、このように構成した場合、放射線画像撮影装置１に放射線の照射が開始されると、各ＴＦＴ８を介して各放射線検出素子７内から信号線６にリークする電荷ｑの電荷量が増加するため、放射線画像撮影装置１に放射線の照射が開始された時点で（例えば図６の時刻ｔ１参照）、読み出されるリークデータｄleakの値が急激に増加することが分かっている。
【００５４】
そこで、このリークデータｄleakの値が増加することを利用して、例えば図６に示すように、読み出されたリークデータｄleakが設定された閾値ｄleak_th以上になったことを検出することで、放射線画像撮影装置１自体で放射線の照射開始を検出するように構成することが可能である。
【００５５】
なお、リークデータｄleakを用いて放射線の照射開始を検出するように構成する場合、上記のようにゲートドライバー１５ｂから各走査線５にオフ電圧を印加し、各ＴＦＴ８をオフ状態のままとすると、各放射線検出素子７内に暗電荷が蓄積され続ける状態になってしまう。
【００５６】
そのため、例えば後述する図７の左側の部分に示すように、リークデータｄleakの読み出し処理（図中では「Ｌ」と記載）と次のリークデータｄleakの読み出し処理との間に各放射線検出素子７のリセット処理（図中では「Ｒ」と記載）を行って、各放射線検出素子７内に蓄積される暗電荷を各放射線検出素子７内から除去するように構成することが可能である。
【００５７】
なお、各放射線検出素子７のリセット処理を行う場合、図７に示すように、走査駆動手段１５のゲートドライバー１５ｂ（図３参照）から走査線５の各ラインＬ１〜Ｌｘにオン電圧を順次印加して行うように構成してもよく、また、図示を省略するが、ゲートドライバー１５ｂから走査線５の各ラインＬ１〜Ｌｘに一斉にオン電圧を印加して行うように構成することも可能である。
【００５８】
［検出方法２］
また、上記のように、放射線画像撮影装置１に放射線が照射される前からリークデータｄleakの読み出し処理を行うように構成する代わりに、走査駆動手段１５や各読み出し回路１７（図３参照）等を駆動させて画像データの読み出し処理を繰り返し行わせるように構成することも可能である。
【００５９】
なお、この検出方法２については、本願出願人が先に提出した上記の特許文献５に記載されており、詳しくは同公報を参照されたい。また、以下では、いわゆる本画像として読み出される画像データＤと区別するために、この放射線の照射開始前に読み出される画像データを、照射開始検出用のデータｄという。
【００６０】
このように構成した場合、放射線画像撮影装置１に対する放射線の照射が開始される前は、放射線が照射されない状態で暗電荷が読み出される状態になる。そして、放射線画像撮影装置１に放射線の照射が開始されると、放射線の照射により各放射線検出素子７内で電荷が発生し、それが照射開始検出用のデータｄとして読み出されるようになる。
【００６１】
そのため、図示を省略するが、上記のリークデータｄleakの場合（図６参照）と同様に、放射線画像撮影装置１に放射線の照射が開始された時点で、読み出される照射開始検出用のデータｄの値が急激に増加する。そこで、例えば、読み出された照射開始検出用のデータｄが設定された閾値ｄth以上になったことを検出することで、放射線画像撮影装置１自体で放射線の照射開始を検出するように構成することが可能である。
【００６２】
なお、上記の検出方法１、２については、読み出されるリークデータｄleakや照射開始検出用のデータｄの、読み出しＩＣ１６（図３参照）ごとの平均値を算出するなど、リークデータｄleakや照射開始検出用のデータｄから種々の値を算出する等して、放射線の照射開始の検出処理をより的確に行うことができるように改良したり、或いは、処理負担がより軽くなるように改良したりすることが可能である。これらの改良された検出方法については、上記の特許文献４、５や、本願出願人が先に提出した特開２０１２−１７６１５５号公報等を参照されたい。
【００６３】
［放射線の照射開始の検出後の処理について］
上記の検出方法２の場合も同様であるが、放射線画像撮影装置１の制御手段２２は、検出方法１の場合を示す図７に示すように、放射線画像撮影装置１に対する放射線の照射が開始されたことを検出すると（同図における「検出」参照）、その時点で、ゲートドライバー１５ｂから走査線５の各ラインＬ１〜Ｌｘにオフ電圧を印加する。
【００６４】
そして、このようにして全てのＴＦＴ８をオフ状態として、放射線の照射により各放射線検出素子７内で発生した電荷が各放射線検出素子７内に蓄積される状態である電荷蓄積状態に移行させるように構成される。そして、例えば電荷蓄積状態に移行してから所定時間が経過した後、各放射線検出素子７内に蓄積された電荷を画像データＤとして読み出す本画像としての画像データＤの読み出し処理を開始させるようになっている。
【００６５】
本実施形態では、画像データＤの読み出し処理では、図７に示すように、放射線の照射開始を検出したリークデータｄleakの読み出し処理の直前のリセット処理でオン電圧が印加された走査線５（図７の場合は走査線５のラインＬ４）の次にオン電圧を印加すべき走査線５（図７の場合は走査線５のラインＬ５）からオン電圧の印加を開始させ、ゲートドライバー１５ｂから各走査線５にオン電圧を順次印加させて本画像としての画像データＤの読み出し処理を行うようになっている。
【００６６】
しかし、これに限定されず、図示を省略するが、本画像としての画像データＤの読み出し処理を、例えば、走査線５の最初のラインＬ１からオン電圧の印加を開始させ、走査線５の各ラインＬ１〜Ｌｘにオン電圧を順次印加して行うように構成することも可能である。そして、読み出された画像データＤは、アンテナ装置４１（図３参照）やコネクター（図示省略）を介して外部の画像処理装置等に送信される。
【００６７】
また、放射線画像撮影の前や後に、上記のようにして読み出される画像データＤに重畳されている暗電荷に起因するオフセット分をオフセットデータとして読み出すオフセットデータの読み出し処理等が行われたり、或いは、読み出した画像データＤ中からデータを間引く等して図示しないコンソールに送信し、コンソール上にプレビュー画像を表示するように構成される場合もある。
【００６８】
［放射線画像撮影装置に振動等が生じたり電磁波が入り込むこと等について］
以上のような基本構成を有する放射線画像撮影装置１には、例えば下記のようにして振動等が生じたり、加わる荷重に変動が生じたり、或いは電磁波が入り込んだりする。
【００６９】
図８は、放射線画像撮影装置１を装填可能なブッキー装置の例を表す斜視図である。ブッキー装置１００は、支柱１０１に上下方向に移動可能に取り付けられたカセッテ保持部（カセッテホルダー等ともいう。）１０２の引出部１０３内に放射線画像撮影装置１を装填することができるようになっている。
【００７０】
そして、放射線技師等の操作者が、ブッキー装置１００のカセッテ保持部１０２に放射線画像撮影装置１を装填する際に、例えばカセッテ保持部１０２や引出部１０３、取手部１０４等に放射線画像撮影装置１をぶつける等して、放射線画像撮影装置１に振動等が生じる場合がある。また、放射線画像撮影装置１を、患者の身体とベッドとの間に挿入したり、或いは、患者の身体に直接あてがったりして使用することが可能であるが、その際にも、放射線画像撮影装置１に振動等が生じる場合がある。
【００７１】
また、例えば、放射線画像撮影を行うために放射線画像撮影装置上に患者の手足等の身体を載置する際や、放射線画像撮影装置上に載置されていた患者の身体を移動させる場合のように、放射線画像撮影装置に加わる荷重が変動する場合がある。
【００７２】
一方、前述したように、本実施形態の放射線画像撮影装置１では、外部の画像処理装置等に画像データＤを無線方式で送信したり、外部装置との間で信号等の送受信を無線方式で行うためのアンテナ装置４１（図３参照）が、筐体２の側面等に設けられている。そのため、アンテナ装置４１が装置外部の電磁波を拾ってしまい、アンテナ装置４１を介して電磁波が放射線画像撮影装置１の筐体２の内部に入り込んでしまう場合がある。
【００７３】
そして、放射線画像撮影装置１に対する振動や荷重変動等の影響や、放射線画像撮影装置１の筐体２の内部に入り込んだ電磁波の影響等により、放射線の照射開始の検出処理の際に読み出したリークデータｄleakや照射開始検出用のデータｄの値等が大きくなる場合がある。そして、これらのデータの値が大きな値になって閾値以上になることで、実際には放射線画像撮影装置に対して放射線が照射されていないにもかかわらず、放射線の照射が開始されたと誤検出されてしまう虞れがあった。
【００７４】
［放射線の照射開始を誤検出することを防止するための構成等について］
そこで、本発明では、下記のように構成することで、放射線画像撮影装置１に振動等が生じたり、加わる荷重に変動が生じたり、電磁波が入り込む等しても、放射線の照射開始の誤検出が生じることを的確に防止するように構成されている。
【００７５】
以下、放射線画像撮影装置１で放射線の照射開始を誤検出することを防止するための構成について、いくつかの実施形態に分けて例を挙げて説明する。また、本実施形態に係る放射線画像撮影装置１の作用についてもあわせて説明する。
【００７６】
［第１の実施の形態］
第１の実施形態に係る放射線画像撮影装置１における、放射線の照射開始を誤検出することを防止する構成の特徴について説明すると、本実施形態では、放射線画像撮影前から、前述した検出方法１、２で説明したリークデータｄleakや照射開始検出用のデータｄの読み出し処理を行うと同時に、放射線画像撮影装置１の検出部Ｐ（図２や図３参照）の内外に配置されたノイズ検出線と接続されたノイズ検出手段で信号値の検出を行うように構成される。
【００７７】
前述したように、放射線画像撮影装置１で放射線の照射開始の誤検出が生じる原因の１つは、放射線画像撮影装置１に振動等が生じたり放射線画像撮影装置１に加わった荷重が変動したりすると、基板４とシンチレーター基板３４（図１参照）の間隔が変化し、それに伴って、それらに帯電している静電気の量が変動する。
【００７８】
すなわち、放射線画像撮影装置１では、基板４とシンチレーター基板３４とがシンチレーター３等を挟んでいわば一種のコンデンサーのような構成になっており、それぞれが正負が逆の電荷すなわち静電気を帯びている。そして、振動等によりそれらの間隔が変化すると、それらの間に形成されている寄生容量が変化し、それぞれの静電気の量も変化する。
【００７９】
そして、後で説明するように、その静電気の量の変化に伴って放射線画像撮影装置１の信号線６等に電流が流れる。すなわち、放射線画像撮影装置１に振動等が生じたり、放射線画像撮影装置１に加わる荷重が変動することによって、結果的に、信号線６等に電流が流れることになる。そして、この電流が読み出し回路１７の増幅回路１８のコンデンサー１８ｂ（図５参照）に蓄積され、それに相当する信号が読み出し回路１７で読み出されてしまうために、放射線の照射開始の誤検出が生じる。
【００８０】
また、放射線画像撮影装置１の筐体２内に例えばアンテナ装置４１（図３参照）等を介して外部から電磁波が入り込んだ場合にも、入り込んだ電磁波の影響で信号線６等に電流が発生し、それが読み出し回路１７で読み出されてしまうために、放射線の照射開始の誤検出が生じる。
【００８１】
そこで、本実施形態では、上記のようにして検出部Ｐの内や外等にノイズ検出線を配置することで、振動等の影響で信号線６に電流が発生するのと同じようにして、振動等の影響でノイズ検出線内に電流を発生させるようにする。
【００８２】
そして、読み出し回路１７で読み出されるリークデータｄleakや照射開始検出用のデータｄ等の値がある時点で上昇して閾値ｄleak_th等以上になり、放射線の照射開始が検出される状況であっても、それと同時に、ノイズ検出線に接続されたノイズ検出手段で検出された信号値から、放射線の照射開始以外の要因（すなわち振動や電磁波等の要因）でリークデータｄleak等の値が大きくなったと判断される場合には、読み出されたリークデータｄleak等の値が閾値ｄleak_th以上になっても放射線の照射が開始されたとは判断せず、放射線の照射開始を誤検出したと判断する。
【００８３】
一方、リークデータｄleakや照射開始検出用のデータｄ等の値が上昇して閾値ｄleak_th等以上になった時点で、それと同時にノイズ検出手段で検出される信号値がさほど変化せず、放射線の照射開始以外の要因でリークデータｄleak等の値が大きくなったわけではないと判断される場合には、リークデータｄleak等の値が閾値ｄleak_th以上になったその時点で放射線の照射が開始されたと判断するように構成される。
【００８４】
以上の点で、本実施形態で説明される下記の各例の構成は共通している。そして、本実施形態に係る放射線画像撮影装置１は、このように、放射線画像撮影装置１に生じる振動等の影響で信号線６に電流が発生するのと同じようにして振動等の影響でノイズ検出線内に電流を発生させ、それを検出することで、放射線の照射開始を正常に検出しているか誤検出しているかを判断するものである。
【００８５】
この場合、ノイズ検出線は、信号線６の代わりとなるものであり、上記のように放射線画像撮影装置１の筐体２内での静電気や電磁波等の影響によって信号線６内に電流が発生したのか否かを検出するためのアンテナのような役割を果たすものである。
【００８６】
そして、本実施形態に係る放射線画像撮影装置１は、上記のように構成することで、装置に振動等が生じたり、装置に加わった荷重が変動したり、装置の筐体２内に電磁波が入り込む等して、放射線の照射開始が誤検出されることを的確に防止するとともに、装置に放射線が照射された場合には、的確にその放射線の照射開始を検出することができるようになっている。
【００８７】
［例１］
例えば図９に示すように、放射線画像撮影装置１の検出部Ｐに、走査線５や信号線６、バイアス線９とは別に、新たにノイズ検出線５０を設け、ノイズ検出線５０の端部にノイズ検出手段５１を接続するように構成することが可能である。また、図９のように新たにノイズ検出手段５１を設ける代わりに、例えば図１０に示すように、信号線６が接続されていない、装置に既設の読み出し回路１７ａをノイズ検出手段として用い、それにノイズ検出線５０を接続して用いるように構成することも可能である。
【００８８】
この場合、ノイズ検出線５０は、図９に示したように、走査線５に平行になるように設けてもよく、また、図１０に示したように、信号線６に平行になるように設けてもよい。また、ノイズ検出手段５１を、読み出し回路１７とは別に設ける場合（例えば図９に示したような場合）には、ノイズ検出手段５１を読み出し回路１７と同様の構成とすることが可能である。
【００８９】
また、図９や図１０では、ノイズ検出線５０を、放射線画像撮影装置１の検出部Ｐ内に１本ずつ設けるように記載されているが、実際には、ノイズ検出線５０の間隔が所定の間隔になるように検出部Ｐ内に複数本設けることが望ましい。
【００９０】
このように構成することが望ましい理由は、放射線画像撮影装置１に振動等が生じたり、放射線画像撮影装置１に圧力が加わったり加わっていた圧力が弱くなったりなくなったりする等して放射線画像撮影装置１に荷重変動が生じる場合、その影響が、荷重が変動する等した部分に対応する検出部Ｐ上の位置のみに局所的に現れる場合があり、例えば検出部Ｐ内に設けるノイズ検出線５０の本数が１本であったり少なすぎたりすると、局所的に現れる加圧等の影響をノイズ検出手段５１（装置に既設の読み出し回路１７ａである場合を含む。以下同じ。）が捉え切れない場合が生じ得るからである。
【００９１】
さらに、図９や図１０では、ノイズ検出線５０を走査線５（図９の場合）や信号線６（図１０の場合）の側方に設けるように記載されているが、実際には、走査線５や信号線６の側方には放射線検出素子７等が存在する。そして、走査線５や信号線６とノイズ検出線５０とを設ける部分と、走査線５や信号線６のみを設ける部分とで、放射線検出素子７同士の間隔を変えるわけにはいかない。そのため、実際には、図１１に示すように、ノイズ検出線５０は、例えば走査線５や信号線６の上方に設けられるように構成される。
【００９２】
具体的に説明すると、本実施形態では、図１１に示すように、放射線検出素子７や信号線６等の上方には、それらによって形成される凹凸を平坦化するための平坦化層５２が設けられている。なお、本実施形態では、平坦化層５２の上面に、シンチレーター３を構成する蛍光体の柱状結晶の先端が当接するように形成されている。
【００９３】
そして、信号線６内に大きな影響を与えるのは、平坦化層５２の上面（すなわちシンチレーター３と当接している面）に生じている静電気である（なお、前述した基板４側の静電気は主にこの平坦化層５２の上面の静電気をさす。）。
【００９４】
前述したように、平坦化層５２の上面とシンチレーター基板３４（図１参照）とはシンチレーター３等を挟んでコンデンサー様の構成になっており、それぞれが静電気を帯びている。そして、振動等によりそれらの間隔が変化すると、それらの間に形成されている寄生容量が変化し、それぞれの静電気の量も変化する。
【００９５】
また、信号線６と平坦化層５２の上面との間には樹脂で形成された平坦化層５２が介在しているため、信号線６と平坦化層５２の上面との間でも一種のコンデンサーのような構成ができており、このコンデンサー様の構成を介して、平坦化層５２の上面に蓄積した静電気の影響が信号線６に及ぶ。
【００９６】
そのため、上記のように振動等によって平坦化層５２の上面の静電気の量が変化すると、結局、信号線６側の電荷の量も変化し、変化した分の電荷を供給するために、信号線６内に電流が発生する。
【００９７】
そして、このコンデンサー様の構成部分の寄生容量をｃとする場合、寄生容量ｃは、真空の誘電率をε０、平坦化層５２の比誘電率をεｒ、信号線６の面積をｓ、信号線６と平坦化層５２の上面との距離をｄとするとき、
ｃ＝ε０εｒ・ｓ／ｄ    …（１）
と表される。
【００９８】
上記のように、信号線６等の上方に設けられるノイズ検出線５０を、放射線画像撮影装置１の筐体２内での静電気等の影響によって信号線６に発生する電流の量を検出するためのアンテナとして機能させるためには、平坦化層５２の上面に生じている静電気による信号線６への影響と同じ大きさの影響がノイズ検出線５０に及ぶように構成することが望ましい。
【００９９】
そして、そのためには、平坦化層５２の上面とノイズ検出線５０との間に形成される寄生容量ｃ５０と、平坦化層５２の上面と信号線６との間に形成される寄生容量ｃ６とを同じ大きさにすることが望ましい。すなわち、上記の寄生容量ｃ５０と寄生容量ｃ６とが同じ大きさになるように、ノイズ検出線５０の面積Ｓ５０や、平坦化層５２の上面からの距離ｄ５０が決められる。
【０１００】
このように構成すれば、放射線画像撮影装置１に生じる振動や荷重変動等によって、上記のように、平坦化層５２の上面とシンチレーター基板３４との間隔が変化して、平坦化層５２の上面やシンチレーター基板３４に生じている静電気の量が変化した場合に信号線６に発生する電流と同じ量の電流をノイズ検出線５０に発生させることが可能となる。
【０１０１】
そのため、ノイズ検出線５０を、放射線画像撮影装置１の筐体２内で生じている静電気等の影響によって信号線６内に発生する電荷量を検出するためのアンテナとして機能させることが可能となる。
【０１０２】
なお、ノイズ検出線５０を上記のように信号線６等の上方に配置する場合、例えばノイズ検出線５０をアルミニウム等の金属線で形成する等して、ノイズ検出線５０がシンチレーター３から照射される光を遮る材料で形成されていると、ノイズ検出線５０によりシンチレーター３の光がＴＦＴ８等に届かなくなったりＴＦＴ８に到達する光の量が少なくなったりする。
【０１０３】
そのため、このような場合、放射線画像撮影装置１が特に上記の検出方法１を用いて放射線の照射開始を検出するように構成されていると、放射線が照射されても、シンチレーター３からの光がノイズ検出線５０によって遮られてＴＦＴ８に届きにくくなるため、ＴＦＴ８を介して放射線検出素子７からリークする電荷ｑ（図５参照）の増加の度合が小さくなる。そのため、リークデータｄleakが閾値ｄleak_thに達しなくなって、放射線の照射開始を検出することができなくなる虞れがある。
【０１０４】
そこで、上記のようにノイズ検出線５０を上記のように信号線６等の上方に配置する場合には、ノイズ検出線５０を、ＩＴＯ（Indium Tin Oxide）やＩＺＯ（Indium Zinc Oxide）等のような透明な導電性の材料を用いて形成することが望ましい。
【０１０５】
また、上記のように、ノイズ検出線５０は、信号線６内に発生する電流を検出するアンテナとして機能するが、必ずしも信号線６と平行に設ける必要はなく、例えば図９に示したように走査線５と平行に設けることも可能であり、ノイズ検出線５０の延在方向は特に限定されない。信号線６が接続されていない、装置に既設の読み出し回路１７ａをノイズ検出手段として用いる場合には、図１０に示したように、ノイズ検出線５０を信号線６と平行に設ければ構成が簡単になるが、例えば図９に示したように走査線５に平行に設けたノイズ検出線５０を引き回して既設の読み出し回路１７ａと接続するように構成することも可能である。
【０１０６】
以上の［例１］のように構成すれば、放射線画像撮影装置１に対する放射線の照射が開始された場合には、例えば図５に示した検出方法１の場合には、信号線６に各ＴＦＴ８を介して各放射線検出素子７から流れ込む電荷ｑの量が増加して、増幅回路１８を含む読み出し回路１７で読み出されるリークデータｄleak等の値が上昇する。
【０１０７】
しかし、この場合、放射線の照射が開始されても、ノイズ検出線５０内では電流は発生しないため、ノイズ検出手段５１で検出される信号値Ｓｇの値は変化しない。そのため、制御手段２２は、リークデータｄleak等の値と信号値Ｓｇとを見比べることで、放射線画像撮影装置１に対する放射線の照射が開始されたことを的確に検出することが可能となる。
【０１０８】
一方、放射線画像撮影装置１に振動等が生じたり、放射線画像撮影装置１に加わった荷重が変動したり、或いは放射線画像撮影装置１の筐体２内に電磁波が入り込んだりした場合には、上記のようにして信号線６内だけでなくノイズ検出線５０内にも同様に電流が発生し、それが読み出し回路１７やノイズ検出手段５１で読み出されたり検出されたりする。
【０１０９】
そのため、制御手段２２は、この場合もリークデータｄleak等の値と信号値Ｓｇとを見比べることで、読み出し回路１７で読み出されるリークデータｄleak等の値が上昇したのは放射線画像撮影装置１に対する放射線の照射が開始されたためではなく、放射線画像撮影装置１に振動等が生じる等したことが原因であると判断することができるため、放射線の照射開始を誤検出したと的確に判断することが可能となる。
【０１１０】
［放射線の照射開始の検出か誤検出かの判断方法１］
上記の［例１］の場合、および以下の各例の場合も同様であるが、制御手段２２（図３参照）は、放射線画像撮影装置１に放射線が照射される前から、読み出し回路１７にリークデータｄleak等の読み出し処理を行わせるとともに、ノイズ検出手段５１にも信号値Ｓｇの検出処理を行わせるように構成される。
【０１１１】
そして、読み出し回路１７で読み出されたリークデータｄleak等の値が閾値ｄleak_th等以上になった時点で、ノイズ検出手段５１で検出された信号値Ｓｇが所定値Ｓｇth未満である場合には、読み出されたリークデータｄleak等の値が閾値ｄleak_th等以上になったのは放射線の照射が開始されたからであると判断できるため、制御手段２２は、この場合は、放射線の照射が開始されたことを検出する。
【０１１２】
また、読み出し回路１７で読み出されたリークデータｄleak等の値が閾値ｄleak_th等以上になった時点で、ノイズ検出手段５１で検出された信号値Ｓｇも所定値Ｓｇth以上である場合には、読み出されたリークデータｄleak等の値が閾値ｄleak_th等以上になったのは放射線画像撮影装置１に振動等が生じたことが原因である可能性があると判断できるため、制御手段２２は、この場合は、放射線の照射が開始されたとは判断せず、誤検出であると判断するように構成される。
【０１１３】
なお、本発明者らの研究では、放射線画像撮影装置１に振動等が生じることで発生する、ノイズ検出手段５１が検出する信号値Ｓｇの上昇は、ごく短い期間で収束して元の小さな値に戻ることが分かっている。そのため、仮に、放射線の照射開始と放射線画像撮影装置１への振動等が生じることとが同時に生じた場合には、上記の構成では、ノイズ検出手段５１が検出する信号値Ｓｇが所定値Ｓｇth以上になるため放射線の照射開始を誤検出したと判断されるが、次の瞬間には信号値Ｓｇは所定値Ｓｇthより小さくなる。
【０１１４】
一方、放射線画像撮影装置１に放射線が照射されている限り、読み出し回路１７で読み出されるリークデータｄleak等の値は閾値ｄleak_th等以上になったままであるから、上記のようにして誤検出と判断された次の瞬間には、リークデータｄleak等の値は閾値ｄleak_th等以上で、信号値Ｓｇは所定値Ｓｇth未満になる。
【０１１５】
そのため、上記のように、仮に放射線の照射開始と放射線画像撮影装置１への振動等が生じることとが同時に生じた場合であっても、その時点では放射線の照射開始を検出できないとしても、その次の瞬間には放射線の照射開始を的確に検出することが可能となる。従って、上記のように構成すれば、放射線の照射開始と放射線画像撮影装置１への振動等が生じることとが同時に生じたとしても、放射線の照射開始を検出することができなくなることは生じ得ない。
【０１１６】
なお、下記の各例等においても同様であるが、リークデータｄleak等の値は閾値ｄleak_th等以上になったか否かや信号値Ｓｇが所定値Ｓｇth以上になったか否か等の判断処理を、例えば制御手段２２が演算処理によって行うように構成することも可能であるが、例えば図示しないコンパレーター（comparator）等を用いる等して、回路上でハードウエア的に比較処理を行って、制御手段２２が処理結果（すなわちコンパレーター等からの出力値等）を監視するように構成することも可能である。
【０１１７】
［放射線の照射開始の検出か誤検出かの判断方法２］
また、制御手段２２で放射線の照射が開始されたか誤検出かを判断する際、上記のように、リークデータｄleak等が閾値ｄleak_th等以上になったか否かの判断処理と、検出された信号値Ｓｇが所定値Ｓｇth以上になったか否かの判断処理とを別々に行う代わりに、或いはそれと並行して、例えば、読み出されたリークデータｄleak等の値から、信号値Ｓｇを定数α倍した値を減算した減算値Δが、その減算値Δについて設定された閾値Δth以上になった時点で、放射線の照射が開始されたことを検出するように構成することも可能である。
【０１１８】
この場合、定数αは、例えば、前述した平坦化層５２（図１１参照）の上面と信号線６やノイズ検出線５０との間の各寄生容量ｃや、読み出し回路１７やノイズ検出手段５１の読み出し効率等を鑑みて設定される。
【０１１９】
なお、図１１を用いて説明したように、平坦化層５２の上面とノイズ検出線５０との間に形成される寄生容量ｃ５０と、平坦化層５２の上面と信号線６との間に形成される寄生容量ｃ６とが同じ大きさになるように、ノイズ検出線５０の面積Ｓ５０や平坦化層５２の上面からの距離ｄ５０が決められており、読み出し回路１７とノイズ検出手段５１の読み出し効率等が同等である場合には、上記の定数αを１とおくことができ、定数αを乗算せずに差分を算出すればよくなる。この点においても、寄生容量ｃ５０と寄生容量ｃ６とが同じ大きさになるように構成することが望ましい。
【０１２０】
そして、このように構成すると、放射線画像撮影装置１に対する放射線の照射が開始された場合には、読み出し回路１７で読み出されたリークデータｄleak等の値が閾値ｄleak_th等以上になるが、ノイズ検出手段５１で検出された信号値Ｓｇは変化しない。そのため、上記の減算値Δは、リークデータｄleak等の値が上昇した分だけ大きくなって閾値Δth以上になるため、制御手段２２は、それをもって放射線の照射が開始されたと判断する。
【０１２１】
また、放射線画像撮影装置１に振動等が生じる等した場合には、読み出し回路１７で読み出されたリークデータｄleak等の値が閾値ｄleak_th等以上になり、ノイズ検出手段５１で検出された信号値Ｓｇも所定値Ｓｇth以上になる。そのため、上記の減算値Δは、ほとんど０に近い値のまま値が変化しない。そのため、制御手段２２は、減算値Δが閾値Δth以上にならず、閾値Δth未満であるため、放射線の照射が開始されたとは判断せず、放射線の照射開始を誤検出したと判断する。
【０１２２】
このように、上記のように構成し、制御手段２２が上記の減算値Δを監視するように構成することで、放射線の照射が開始された場合にはそれを的確に検出することが可能となる。また、それとともに、放射線画像撮影装置１に振動等が生じる等して放射線の照射開始の誤検出が生じる状況では、減算値Δが閾値Δth以上にならないため、放射線の照射開始を誤検出することを的確に防止することが可能となる。
【０１２３】
なお、上記の［判断方法１］と［判断方法２］はいずれか一方のみを採用することも可能であり、また、両方を同時に行うように構成することも可能である。
【０１２４】
［判断方法２の応用例］
なお、放射線画像撮影装置１内の静電気や筐体２内に入り込んだ電磁波等は、上記のように放射線の照射開始の検出処理の際だけでなく、例えば画像データＤの読み出し処理（図７参照）の際にも影響を及ぼす。すなわち、画像データＤの読み出し処理の際にも、放射線画像撮影装置１内の静電気や筐体２内に入り込んだ電磁波等によって、信号線６内に電流を発生し、それが画像データＤに重畳されてノイズになる場合があり得る。
【０１２５】
そして、上記のように、放射線画像撮影装置１内の静電気や筐体２内に入り込んだ電磁波等によって信号線６内に発生する電流は、ノイズ検出線５０内でも発生するため、それをノイズ検出手段５１で検出することができる。
【０１２６】
そこで、例えば、放射線の照射開始の検出処理の後もノイズ検出手段５１を作動させるように構成し、画像データＤの読み出し処理の際に、ノイズ検出手段５１で検出される信号値Ｓｇも同時に検出して例えば記憶手段２３（図３参照）に保存するように構成する。そして、後の画像処理の段階で、画像データＤが読み出されたタイミングでノイズ検出手段５１で検出された信号値Ｓｇから、当該画像データＤに重畳されているノイズの値を算出し、当該画像データＤから算出したノイズの値を減算する。
【０１２７】
そして、この処理を各画像データＤについてそれぞれ行うように構成することが可能である。このように構成すれば、各画像データＤから、その読み出し処理の時点で生じていた静電気や電磁波等によるノイズの影響を除去することが可能となり、放射線画像撮影装置１内の静電気や筐体２内に入り込んだ電磁波等の影響のない画像データＤに基づいて、それらの影響が排除された放射線画像を生成することが可能となるといったメリットが得られる。
【０１２８】
［例２］
さらに、前述したように、放射線画像撮影装置１で放射線の照射開始の誤検出が生じる原因として、放射線画像撮影装置１に振動等が生じると、基板４に取り付けられているフレキシブル回路基板１２（図４参照）が振動し、それに組み込まれている読み出しＩＣ１６が振動することも原因の１つであり得ると考えられている。そこで、ノイズ検出線５０を、フレキシブル回路基板１２にも配置するように構成することが可能である。
【０１２９】
そして、このように構成することで、例えば、放射線画像撮影装置１に振動等が生じる等してフレキシブル回路基板１２が振動して、フレキシブル回路基板１２上の信号線６等で電流が発生するような場合には、同じくフレキシブル回路基板１２上に配置されたノイズ検出線５０にも電流が発生する。
【０１３０】
そのため、例えば上記の判断方法１や判断方法２を用いて放射線の照射が開始されたか誤検出かを判断するように構成することで、上記の［例１］の場合と同様に、放射線画像撮影装置１に対する放射線の照射が開始された場合にはそれを的確に検出し、また、放射線画像撮影装置１に振動等が生じる等して読み出されるリークデータｄleak等の値が上昇して閾値ｄleak等以上になっても、それに基づいて放射線の照射開始を誤検出することを的確に防止することが可能となる。
【０１３１】
［例３］
上記の各例では、放射線画像撮影装置１の検出部Ｐ（図９や図１０参照）やフレキシブル回路基板１２（図４参照）等に、既設の信号線６や走査線５等以外に新たにノイズ検出線５０を配置する場合について説明した。しかし、このように構成する代わりに、或いはそれと併用して、装置に既設の信号線６や走査線５をノイズ検出線５０として用いるように構成することも可能である。
【０１３２】
しかし、この場合、例えば図５に示したように、リークデータｄleak等の値が読み出される信号線６等をノイズ検出線５０として用いたり、それに接続されている読み出し回路１７をノイズ検出手段５１として用いることはできない。
【０１３３】
上記の各例で説明したように、制御手段２２での放射線の照射開始の検出処理（誤検出判断を含む。）では、読み出し回路１７で読み出されるリークデータｄleak等の値とノイズ検出手段５１で検出される信号値Ｓｇの両方が必要であるが、例えば１つの読み出し回路１７でリークデータｄleak等の値と信号値Ｓｇとを同時に読み出したり検出したりすることができないからである。
【０１３４】
一方、装置に既設の信号線６であっても、例えば、画像データＤを読み出すことができない状態になっている信号線６（すなわちいわゆる線欠陥を生じている信号線６）が存在する場合、その線欠陥を生じている信号線６をノイズ検出線５０として用いることが可能である。
【０１３５】
信号線６を介して各放射線検出素子７から画像データＤを読み出すことができない状態になっている場合、当該各放射線検出素子７からは、前述した照射開始検出用のデータｄ（検出方法２の場合）も読み出すことができない。前述したように、照射開始検出用のデータｄは画像データＤの読み出し処理と全く同様にして読み出されるからである。
【０１３６】
また、信号線６を介して画像データＤを読み出すことができない状態になっている場合、上記の検出方法１で説明したように、放射線検出素子７からスイッチ素子であるＴＦＴ８を介してリークする電荷ｑをリークデータｄleakとして読み出すこともできなくなっている場合が多い（図５参照）。
【０１３７】
このように、このように画像データＤを読み出すことができない状態になっている信号線６では、リークデータｄleakも照射開始検出用のデータｄもいずれも読み出すことができなくなっている場合があり、例えばこのような信号線６をノイズ検出線５０として用いることが可能である可能性がある。
【０１３８】
この場合、各放射線検出素子７が画像データＤを読み出すことができない状態になっている原因（すなわち線欠陥が生じている原因）としては、種々の原因があり得る。
【０１３９】
例えば、各放射線検出素子７に逆バイアス電圧を印加するバイアス線９（図２や図３参照）が切れていたり、或いは、バイアス線９が何らかの原因で各放射線検出素子７に接続されていないような場合には、当該各放射線検出素子７からは画像データＤを読み出すことができず、線欠陥が生じる。
【０１４０】
このような場合、当該各放射線検出素子７に接続されている信号線６は読み出し回路１７に接続されているため、この信号線６をノイズ検出線５０とし、当該信号線６に接続されている読み出し回路１７をノイズ検出手段５１として使用するように構成することができる。
【０１４１】
また、例えば、信号線６と読み出しＩＣ１６の端子との接続部分で接続が切れてしまっているような場合には、そのような信号線６を上記のようなノイズ検出線５０として使用することは困難であるが、例えば、読み出しＩＣ１６と適切に接続されている信号線６が、フレキシブル回路基板１２上でも切断はなく、例えば入出力端子１１（図４等参照）の部分で接続が切れてしまっている場合もあり得る。
【０１４２】
このような場合には、この信号線６は、例えば上記の［例２］で説明したように、放射線画像撮影装置１に振動等が生じてフレキシブル回路基板１２が振動した場合に生じる放射線の照射開始の誤検出を防止するためのノイズ検出線５０として用いることが可能である。
【０１４３】
このように、放射線画像撮影装置１に既設の信号線６の中に、例えば画像データＤを読み出すことができない状態になっている信号線６が存在する場合には、そのような状態になっている原因を特定した上で、上記のように、当該信号線６をノイズ検出線５０として用いるように構成することが可能である。そして、その場合、当該信号線６に接続されている読み出し回路１７をノイズ検出手段５１として用いることができる。
【０１４４】
なお、上記のように装置に既設の信号線６だけでなく、例えば、画像データＤを読み出すことができない状態になっている走査線５もノイズ検出線５０として用いるように構成することも可能である。
【０１４５】
この場合、例えば、走査駆動手段１５のゲートドライバー１５ｂ（図３参照）の端子との接続が切れている走査線５や、入出力端子１１（図２や図４参照）との接続が切れている走査線５等が存在する場合、それらの走査線５にＴＦＴ８を介して接続されている各放射線検出素子７からは画像データＤを正常に読み出すことができず、この場合も線欠陥が生じる。
【０１４６】
そのような場合、例えば、画像データＤを読み出すことができない状態になっている走査線５にノイズ検出手段５１を接続したり、或いは、そのような走査線５を、未使用の読み出し回路１７に接続したりすることで、そのような走査線５をノイズ検出線５０として用いることができる。
【０１４７】
このように、放射線画像撮影装置１に既設の信号線６や走査線５の中に、画像データＤを読み出すことができない状態になっている信号線６や走査線５が存在する場合には、そのような信号線６や走査線５をノイズ検出線５０として用いることが可能となる。
【０１４８】
そして、このように構成すれば、上記の［例１］や［例２］で説明した放射線の照射開始の誤検出を防止することが可能となる等の有益な効果を奏することが可能となるほか、本来、線欠陥を生じてしまい使い物にならない信号線６や走査線５をノイズ検出線５０として再利用することが可能となるといったメリットがある。
【０１４９】
また、そのため、［例１］や［例２］で説明したように検出部Ｐやフレキシブル回路基板１２等に新たにノイズ検出線５０を配置する必要がなくなり、或いは、新たに配置するノイズ検出線５０の本数を減らすことが可能となるといったメリットもある。
【０１５０】
［例４］
上記の［例１］〜［例３］では、ノイズ検出線５０を、複数の走査線５や信号線６が設けられ、放射線検出素子７が二次元状に配列された検出部Ｐ内（図２や図３参照）や、読み出しＩＣ１６等がフィルム上に組み込まれたフレキシブル回路基板１２（図４参照）に配置する場合や、検出部Ｐやフレキシブル回路基板１２に既設の信号線６等の配線を活用してノイズ検出線５０とする場合について説明した。
【０１５１】
一方、例えば、以下のようにノイズ検出線５０を設けるように構成することも可能である。すなわち、例えば図１２に示すように、シンチレーター３で覆われた基板４上の領域の外にも検出部Ｐを設けるように構成することが可能である。すなわち、逆の言い方をすれば、検出部Ｐの一部に、上方にシンチレーター３が設けられていない領域を設けるように構成することが可能である。
【０１５２】
なお、以下、この領域に配置されている信号線６や走査線５を、シンチレーター３で覆われた領域の通常の信号線６や走査線５と区別して、信号線６ａや走査線５ａという。そして、このような検出部Ｐの一部、すなわち上方にシンチレーター３が設けられていない検出部Ｐの領域に設けられた信号線６ａや走査線５ａには、シンチレーター３から光が照射されず、シンチレーター３からの光が到達しない。
【０１５３】
そして、上記のように構成し、上記の各例と同様に、信号線６ａや走査線５ａをノイズ検出線５０として用い、ノイズ検出線５０である信号線６ａ等をノイズ検出手段５１に接続し、ノイズ検出手段５１で信号値Ｓｇを検出するように構成する。そして、上記の判断方法１、２等を用いて、読み出し回路１７で読み出されたリークデータｄleak等の値とノイズ検出手段５１で検出された信号値Ｓｇとに基づいて放射線の照射開始の検出、誤検出を判断するように構成する。
【０１５４】
このように構成することで、ノイズ検出線５０である信号線６ａ等に対するシンチレーター３からの光の影響が排除された状態で、平坦化層５２の上面に帯電された静電気の信号線６ａ等への影響や放射線画像撮影装置１内に入り込んだ電磁波等の信号線６ａ等や通常の信号線６等への影響、すなわちそれらによって放射線の照射開始が誤検出されたのか否かを的確に判断することが可能となる。
【０１５５】
なお、この場合も、ノイズ検出手段５１を新たに設けることも可能であり、装置に既設の読み出し回路１７のうち、信号線６が接続されていない、いわば未使用の状態の読み出し回路１７を用いるように構成することも可能である。
【０１５６】
また、製造の面から言えば、シンチレーター３の面積よりも検出部Ｐの面積が大きくなるように基板４上に検出部Ｐを形成することで、容易に上記の構成を形成することができる。そして、例えば図２の基板４の左端部分（図２では基板４の右端部分の図示が省略されているが、基板４の右端部分でも同様。）の検出部Ｐの部分に、上記のシンチレーター３が設けられていない領域を形成すれば、その領域にはノイズ検出線５０としての信号線６ａが配置された状態になる。
【０１５７】
また、例えば図２の基板４の上端部分や下端部分の検出部Ｐの部分に、上記のシンチレーター３が設けられていない領域を形成すれば、その領域にはノイズ検出線５０としての走査線５ａが配置された状態になる。なお、この場合、走査線５ａはゲートドライバー１５ｂ（図３参照）には接続されず、ノイズ検出手段５１や読み出し回路１７に接続される。
【０１５８】
一方、平坦化層５２の上面で静電気が一箇所に集中して帯電しないようにするために、帯電防止部材として、例えば平坦化層５２の上面とシンチレーター３との間に帯電防止フィルムが貼付されたり帯電防止層が積層されたりする場合がある。また、基板４の裏面４ｂ（図４参照）側にも帯電防止部材が設けられる場合もある。
【０１５９】
しかし、上記のように、例えば平坦化層５２の上面の全面や、基板４の裏面４ｂの全面に、帯電防止フィルム等が設けられていると、上方にシンチレーター３が設けられていない検出部Ｐの領域（すなわち信号線６ａ等が形成されている領域）の平坦化層５２の上面に発生した静電気が帯電防止フィルム内に拡がってしまい、その領域に静電気の影響がどの程度生じているかが分からなくなる。
【０１６０】
そのため、上記の領域の平坦化層５２の上面に生じた静電気が他の領域に拡散してしまわないようにするために、例えば、帯電防止フィルム等の帯電防止部材を、上方にシンチレーター３が設けられていない検出部Ｐの領域の放射線が入射する側（すなわち上記の場合は平坦化層５２の上面）には設けないように構成することが可能である。
【０１６１】
また、上方にシンチレーター３が設けられていない検出部Ｐの領域の放射線が入射する側とは反対側（すなわち基板４の裏面４ｂ）に帯電防止フィルム等の帯電防止部材が設けられていると、同様にして、その手段を介して静電気が他の領域に拡散してしまう。そのため、それを防止するために、検出部Ｐの当該領域の放射線が入射する側とは反対側にも、帯電防止フィルム等の帯電防止部材を設けないように構成することが可能である。
【０１６２】
このように構成すれば、上方にシンチレーター３が設けられていない検出部Ｐの領域で発生した静電気が検出部Ｐの他の領域に拡散しなくなるため、その検出部Ｐの領域に設けられた信号線６ａ等に及ぶ静電気の影響や放射線画像撮影装置１内に入り込んだ電磁波の影響を的確に検出することが可能となる。
【０１６３】
また、上記のように構成しても、上方にシンチレーター３が設けられていない検出部Ｐの領域にもシンチレーター３からの光が若干漏れ出す場合がある。そのため、放射線画像撮影装置１に放射線が照射されてシンチレーター３で光が発生すると、上記の領域のＴＦＴ８（図１２では図示省略）に、漏れ出した光が到達する。
【０１６４】
そのため、上記のリークデータｄleakの読み出し処理の場合と同様に、この場合も、漏れ出した光が到達したＴＦＴ８を介して放射線検出素子７から信号線６ａ等にリークする電荷が増加する。そのため、信号線６ａ等では、電磁波等の影響だけでなく、放射線画像撮影装置１に放射線が照射された場合にも電流が発生してしまうことになる。
【０１６５】
しかし、これでは、放射線の照射によって信号線６ａ等に電流が発生してしまうことになり、信号線６ａ等を、放射線画像撮影装置１に生じた振動や加わった荷重の変動、或いは放射線画像撮影装置１内に入り込んだ電磁波等の影響で（すなわち放射線画像撮影装置１に対する放射線の照射以外の影響で）信号線６に発生する電流を検出するプローブとしてのノイズ検出線の機能を果たすことができなくなる。
【０１６６】
そこで、上方にシンチレーター３が設けられていない検出部Ｐの領域では、スイッチ素子であるＴＦＴ８の上方に遮光層を設ける等して、ＴＦＴ８を遮光するように構成することが望ましい。
【０１６７】
また、図１２では、検出部Ｐのこの領域にも放射線検出素子７やＴＦＴ８（図１２では図示省略）を形成する場合が示されているが、この領域には、放射線検出素子７やＴＦＴ８を形成せず、信号線６ａや走査線５ａのみを形成するように構成することも可能である。
【０１６８】
以上のように、本実施形態に係る放射線画像撮影装置１によれば、放射線画像撮影装置１の検出部Ｐやフレキシブル回路基板１２等にノイズ検出線５０を設け、或いは、装置に既設の信号線６等のうち画像データＤを読み出すことができない状態になっている信号線６等をノイズ検出線５０として用い、また、ノイズ検出線５０にノイズ検出手段５１（装置に既設の読み出し回路１７である場合を含む。）を接続する。
【０１６９】
そして、読み出し回路１７で読み出されたリークデータｄleak等の値が閾値ｄleak_th等以上になった時点で、ノイズ検出手段５１で検出された信号値Ｓｇが所定値Ｓｇth未満である場合には放射線の照射が開始されたことを検出するが、当該時点で、ノイズ検出手段５１で検出された信号値Ｓｇが所定値Ｓｇth以上である場合には放射線の照射が開始されたとは判断せず、放射線の照射開始を誤検出したと判断するように構成する。
【０１７０】
このように構成することで、放射線画像撮影装置１に対して放射線の照射が開始された場合には放射線の照射が開始されたと的確に判断して照射開始を的確に検出することが可能となる。
【０１７１】
また、放射線画像撮影装置１に振動等が生じたり、加わる荷重が変動したり、或いは、放射線画像撮影装置１の筐体２内に電磁波が入り込む等しても、振動等による誤検出であると的確に判別して、放射線の照射開始の誤検出が生じることを的確に防止することが可能となる。
【０１７２】
そのため、放射線の照射開始を誤検出してしまい、無駄に画像データＤが読み出される等して放射線画像撮影装置１の電力が無駄に消費されてしまう等の問題が生じることを的確に防止することが可能となる。また、放射線技師等の操作者が、放射線の照射開始を誤検出した放射線画像撮影装置１を元の放射線の照射開始の検出処理を行う状態に戻す処理を行うことも不要になり、放射線画像撮影装置１が操作者にとって使い勝手が良いものとなる。
【０１７３】
［第２の実施の形態］
上記の第１の実施形態では、放射線画像撮影装置１の検出部Ｐ上に新たにノイズ検出線５０やノイズ検出手段５１を設けたり、或いは画像データＤを読み出すことができない状態になっている信号線６や読み出し回路１７をノイズ検出線５０やノイズ検出手段５１として利用するように構成すること等について説明した。
【０１７４】
ところで、上記の第１の実施形態のように構成する代わりに、検出部Ｐ上に設けられている信号線６やそれに接続されている読み出し回路１７（すなわち画像データＤの読み出し処理に用いられる通常の信号線６や読み出し回路１７）を用いて、上記と同様に、放射線が照射された場合には放射線の照射開始を的確に検出し、また、装置１に振動等が生じる等した場合には放射線の照射開始を誤検出することを的確に防止することも可能である。
【０１７５】
そこで、第２の実施形態では、このように、放射線画像撮影装置１に既設の信号線６や読み出し回路１７を用いて、放射線の照射開始を的確に検出するとともに、装置１に振動等が生じる等した場合には放射線の照射開始を誤検出することを的確に防止することが可能な構成等について説明する。
【０１７６】
なお、本実施形態では、上記の第１の実施形態と同じ部材や機能部等については、第１の実施形態と同じ符号を付して説明する。また、本実施形態では、第１の実施形態で説明した［検出方法１］を採用する場合、すなわちデータとしてリークデータｄleakを読み出すように構成されている場合について説明するが、［検出方法２］を採用して照射開始検出用のデータｄを読み出すように構成したり、読み出したリークデータｄleakや照射開始検出用のデータｄから種々の値等を算出するように構成されている場合も同様に説明される。
【０１７７】
例えば、図２や図３に示した通常の構成の放射線画像撮影装置１（すなわち図９〜図１２に示した第１の実施形態に係る構成を有しない通常の構成の放射線画像撮影装置１）において、検出部Ｐの端部部分の信号線６（すなわち例えば図２や図３の場合には各信号線６のうちの図中最も左側の信号線６）では、放射線画像撮影装置１に振動等が生じる等した場合、読み出し回路１７で読み出されるリークデータｄleakが他の信号線６に接続されている読み出し回路１７から読み出されるリークデータｄleakとは多少異なる様相を示すことが分かっている。
【０１７８】
すなわち、放射線画像撮影装置１に放射線が照射された場合には、検出部Ｐの端部部分の信号線６に接続されている読み出し回路１７から読み出されるリークデータｄleakは、他の信号線６に接続されている読み出し回路１７から読み出されるリークデータｄleakとほとんど変わらない挙動を示し、図６に示したように、放射線の照射が開始されると、読み出されるリークデータｄleakの値が他の読み出し回路１７から読み出されるリークデータｄleakとほぼ同等の値に増加する。
【０１７９】
しかし、放射線画像撮影装置１に振動等が生じたり、放射線画像撮影装置１に加わる荷重が変動するような場合には、検出部Ｐの端部部分の信号線６に接続されている読み出し回路１７から読み出されるリークデータｄleakは、他の信号線６に接続されている読み出し回路１７から読み出されるリークデータｄleakの数倍の振幅で増加したり減少したりする状態になる。
【０１８０】
放射線画像撮影装置１に振動等が生じる等した場合に、上記のような現象が生じる原因は、現時点では明確には分かっていない。しかし、例えば図３等を見て分かるように、検出部Ｐの端部部分の信号線６では、その図中右側にしか放射線検出素子７が存在しないのに対して、他の信号線６ではその両側に放射線検出素子７が存在する。
【０１８１】
そして、信号線６と各放射線検出素子７との間に図示しない絶縁層が設けられているため、信号線６と放射線検出素子７とが絶縁層を挟んでいわば一種のコンデンサーのような構成になっており、信号線６と放射線検出素子７との間にそれぞれ寄生容量が形成されている。
【０１８２】
そのような状態で、放射線画像撮影装置１に振動が生じる等すると、前述したように、基板４とシンチレーター基板３４（図１参照）の間隔が変化し、それに伴って、それらに帯電している静電気の量が変動する。そして、基板４の平坦化層５２（図１１等参照）表面の静電気の量が変動すると、その変動が各放射線検出素子７を介して信号線６に伝わり、各信号線６等の電位が変動して、各信号線６に電流が流れる。
【０１８３】
その際、上記のように、検出部Ｐの端部部分の信号線６では、例えば図３の図中右側にしか放射線検出素子７が存在しないため、両側に放射線検出素子７が存在する他の信号線６に比べて、放射線検出素子７との間の寄生容量が半分になる。
【０１８４】
電位の変化量ΔＶと電荷の変化量ΔＱと（寄生）容量Ｃとの間には、
ΔＶ＝ΔＱ／Ｃ    …（２）
の関係があるため、振動等による静電気の量の変化による信号線６の電位の変化は、他の信号線６に比べて寄生容量が半分になる検出部Ｐの端部部分の信号線６の方が、理論的には２倍大きくなる。
【０１８５】
そのため、放射線画像撮影装置１に振動等が生じる等した場合、理論的には、検出部Ｐの端部部分の信号線６に接続されている読み出し回路１７から読み出されるリークデータｄleakは、他の信号線６に接続されている読み出し回路１７から読み出されるリークデータｄleakの２倍の振幅で増加したり減少したりする状態になる。
【０１８６】
しかし、実際には、放射線画像撮影装置１に振動等が生じる等した場合、検出部Ｐの端部部分の信号線６に接続されている読み出し回路１７から読み出されるリークデータｄleakは、他の信号線６に接続されている読み出し回路１７から読み出されるリークデータｄleakの３倍以上、大きい場合には１０倍程度の振幅で増加したり減少したりする状態になる。
【０１８７】
そのため、上記のような現象が生じる原因としては、上記のように、検出部Ｐの端部部分の信号線６ではその一方側にしか放射線検出素子７が存在しないのに対して、他の信号線６ではその両側に放射線検出素子７が存在することが原因の１つと考えられているが、別の何らかの要因も存在していると考えられている。
【０１８８】
いずれにせよ、放射線画像撮影装置１に振動等が生じたり、放射線画像撮影装置１に加わる荷重が変動するような場合、検出部Ｐの端部部分の信号線６に接続されている読み出し回路１７から読み出されるリークデータｄleakは、他の信号線６に接続されている読み出し回路１７から読み出されるリークデータｄleakの数倍の振幅で増加したり減少したりする状態になる。
【０１８９】
また、放射線画像撮影装置１に放射線が照射された場合には、検出部Ｐの端部部分の信号線６に接続されている読み出し回路１７から読み出されるリークデータｄleakは、他の信号線６に接続されている読み出し回路１７から読み出されるリークデータｄleakとほぼ同等の値に増加する。
【０１９０】
そこで、これらの現象を利用して、放射線が照射された場合には放射線の照射開始を的確に検出し、また、放射線画像撮影装置１に振動等が生じる等した場合には放射線の照射開始を誤検出することを的確に防止するように構成することが可能である。
【０１９１】
具体的には、例えば、放射線画像撮影装置１の検出部Ｐの端部部分に設けられた信号線６を前述したノイズ検出線５０とし、その信号線６に接続されている読み出し回路１７を前述したノイズ検出手段５１として用いる。
【０１９２】
そして、放射線画像撮影装置１の制御手段２２は、読み出し回路１７で読み出されたリークデータｄleakが閾値ｄleak_th以上になった時点（図６の時刻ｔ１参照）で、ノイズ検出手段５１としての読み出し回路１７（すなわち図３の図中左端の読み出し回路１７）で検出された信号値Ｓｇ（すなわちこの場合はリークデータｄleak）の絶対値｜Ｓｇ｜を、ノイズ検出線５０としての信号線６以外の信号線６に接続されている読み出し回路１７から読み出されたリークデータｄleakの絶対値｜ｄleak｜で除算した比｜Ｓｇ｜／｜ｄleak｜が、所定値以上である場合には、放射線の照射が開始されたとは判断せず、放射線の照射開始を誤検出したと判断する。
【０１９３】
また、当該時点で、上記の比｜Ｓｇ｜／｜ｄleak｜が所定値未満である場合には、放射線の照射が開始されたことを検出するように構成することが可能である。この場合、上記の所定値は、例えば１．５等の１より大きい値に設定される。
【０１９４】
上記のように構成すると、放射線発生装置から放射線画像撮影装置１に放射線が照射された場合には、前述したように、検出部Ｐの端部部分のノイズ検出線５０としての信号線６に接続されているノイズ検出手段５１としての読み出し回路１７から読み出される信号値Ｓｇ（すなわちリークデータｄleak）は、他の信号線６に接続されている読み出し回路１７から読み出されるリークデータｄleakとほぼ同等の値に増加する。
【０１９５】
そのため、上記の比｜Ｓｇ｜／｜ｄleak｜はほぼ１になり所定値未満になるため、制御手段２２は、上記のように、放射線の照射が開始されたことを検出する。このように構成することで、放射線画像撮影装置１に対して放射線が照射された場合には、放射線の照射が開始されたことを的確に検出することが可能となる。
【０１９６】
また、放射線画像撮影装置１に振動等が生じる等した場合には、前述したように、検出部Ｐの端部部分の信号線６に接続されているノイズ検出手段５１としての読み出し回路１７から読み出される信号値Ｓｇ（すなわちリークデータｄleak）は、他の信号線６に接続されている読み出し回路１７から読み出されるリークデータｄleakの数倍の振幅で増加したり減少したりする状態になる。
【０１９７】
そのため、上記の比｜Ｓｇ｜／｜ｄleak｜は前述したように２（理論値）よりも大きな値になり所定値以上になるため、制御手段２２は、上記のように、この場合は、放射線の照射が開始されたとは判断せず、放射線の照射開始を誤検出したと判断する。このように構成すれば、放射線画像撮影装置１に振動等が生じる等した場合には、リークデータｄleakが閾値ｄleak_th以上になっても放射線の照射が開始されたことは検出されない。そのため、放射線画像撮影装置１に振動等が生じる等した場合に放射線の照射開始が誤検出されることを的確に防止することが可能となる。
【０１９８】
なお、上記の比を算出する対象となる、ノイズ検出線５０としての信号線６以外の信号線６としては、例えば、検出部Ｐ（図３等参照）上でノイズ検出線５０としての信号線６（すなわち図３では図中左端の信号線６）に隣接する１本の信号線６や、それを含む複数の信号線６を対象とするように構成することが可能である。
【０１９９】
また、後者の場合、すなわちノイズ検出線５０としての信号線６に隣接する信号線６を含む複数の信号線６を対象とする場合、例えば、それらに接続されている各読み出し回路１７から読み出されたリークデータｄleakの平均値や重み付け平均値（例えばノイズ検出線５０に近い信号線６ほど重みを重くする重み付け平均値）を算出し、ノイズ検出手段５１としての読み出し回路１７で検出された信号値Ｓｇの絶対値｜Ｓｇ｜を、上記の平均値等の絶対値で除算した比を算出するように構成することが可能である。
【０２００】
このように、ノイズ検出線５０の近傍の信号線６から読み出されるリークデータｄleakとの比を算出するように構成することで、振動等によりノイズ検出線５０と同じような影響を受けた信号線６を対象として、放射線画像撮影装置１に振動等が生じたか否か等の判断を行うことが可能となり、その判断処理の精度をより向上させることが可能となる。
【０２０１】
また、図２や図３に示した検出部Ｐにおける図中最も左側の端部部分の信号線６は、上記のように、信号線６の一方側（すなわち図３等の場合は図中右側）にしか放射線検出素子７が存在しない等の理由で、放射線画像撮影装置１に振動等が生じる等した場合に読み出し回路１７から読み出されるリークデータｄleakが、他の信号線６に接続されている読み出し回路１７から読み出されるリークデータｄleakの数倍の振幅で増減する。そのため、図２や図３に示した検出部Ｐにおける図中最も左側の端部部分の信号線６は、ノイズ検出線５０として用いることができる。
【０２０２】
しかし、本実施形態に係る検出部Ｐの構成では、図２や図３では図示を省略した検出部Ｐの最も右側の信号線６は、構造上、信号線６の両側（すなわち図中の左右両方）に放射線検出素子７が存在する。そのため、放射線画像撮影装置１に振動等が生じる等した場合に、この検出部Ｐの最も右側の信号線６に接続されている読み出し回路１７から読み出されるリークデータｄleakは、他の信号線６に接続されている読み出し回路１７から読み出されるリークデータｄleakと同等の振幅で増減する状態になる。
【０２０３】
そのため、本実施形態では、図２や図３では図示を省略した検出部Ｐの最も右側の信号線６は、ノイズ検出線５０として用いることができず、上記の記載の仕方で言えば「他の信号線６」に属する信号線６として扱われる。すなわち、本実施形態では、図２や図３では図示を省略した検出部Ｐの最も右側の信号線６は、検出部Ｐの端部部分に存在するが、ノイズ検出線５０とすることができる信号線６という意味での「検出部Ｐの端部部分の信号線６」には当たらない。
【０２０４】
以上のように、本実施形態に係る放射線画像撮影装置１によれば、放射線画像撮影装置１に既設の信号線６や読み出し回路１７を用い、検出部Ｐの端部部分の信号線６をノイズ検出線５０とし、それに接続されている読み出し回路１７をノイズ検出手段５１として用いる。
【０２０５】
そして、各読み出し回路１７から読み出されたリークデータｄleakが閾値ｄleak_th以上になった時点で、ノイズ検出線５０としての信号線６から検出された信号値Ｓｇの絶対値を、ノイズ検出線５０としての信号線６以外の信号線６から読み出されたデータ（例えばリークデータｄleak）の絶対値で除算した比を算出し、それに基づいて、放射線画像撮影装置１に対して放射線が照射された場合には放射線の照射が開始されたことが的確に検出し、また、放射線画像撮影装置１に振動等が生じる等した場合に放射線の照射開始が誤検出されることを的確に防止することが可能となる。
【０２０６】
そのため、放射線画像撮影装置１に振動等が生じる等した場合に放射線の照射開始を誤検出してしまい、無駄に画像データＤが読み出される等して放射線画像撮影装置１の電力が無駄に消費されてしまう等の問題が生じることを的確に防止することが可能となる。また、放射線技師等の操作者が、放射線の照射開始を誤検出した放射線画像撮影装置１を元の放射線の照射開始の検出処理を行う状態に戻す処理を行うことも不要になり、放射線画像撮影装置１が操作者にとって使い勝手が良いものとなる。
【０２０７】
また、本実施形態に係る放射線画像撮影装置１では、装置１に既設の信号線６や読み出し回路１７を用いて上記の放射線の照射開始の検出処理や誤検出の回避処理を行うことが可能となる。そのため、本実施形態では、放射線画像撮影装置１に上記の処理を行うための設備等を新たに設ける必要がないという点でもメリットがある。
【０２０８】
なお、上記の第１の実施形態では、装置１に既設の読み出し回路１７をノイズ検出手段５１として用いる場合、照射開始検出処理の後に行われる画像データＤの読み出し処理の際に、ノイズ検出手段５１としての読み出し回路１７から画像データＤを読み出すことはないが、本実施形態では、画像データＤの読み出し処理では、ノイズ検出手段５１としての読み出し回路１７からも、通常通り、画像データＤの読み出し処理が行われる。
【０２０９】
また、本実施形態の場合には、前述したように、図３等に示した放射線画像撮影装置１の構造上、ノイズ検出線５０として用いる検出部Ｐの端部部分の信号線６は１本のみになるが、例えば、図示を省略するが、検出部Ｐの左側半分の構成を図２や図３に示した構成とし、検出部Ｐの右側半分の構成を図２や図３に示した構成とは逆の構成（すなわち各放射線検出素子７がＴＦＴ８を介して図中右側の信号線６に接続される構成）とするような場合には、ノイズ検出線５０として用いる検出部Ｐの端部部分の信号線６は、検出部Ｐの両端部分の２本となる。
【０２１０】
さらに、上記の説明では、信号値Ｓｇの絶対値｜Ｓｇ｜をリークデータｄleakの絶対値｜ｄleak｜で除算するように説明したが、リークデータｄleakが０の場合には計算ができなくなるため、例えば、信号値Ｓｇの絶対値｜Ｓｇ｜やリークデータｄleakの絶対値｜ｄleak｜にそれぞれ正の所定値ｚを加算し、｛｜Ｓｇ｜＋ｚ｝／｛｜ｄleak｜＋ｚ｝の形で比を算出するように構成される。
【０２１１】
また、この比を算出して上記の放射線の照射開始の検出処理や誤検出の回避処理を行う手法は、上記の第１の実施形態においても用いることが可能である。
【０２１２】
しかし、上記の第１の実施形態では、本実施形態とは逆に、前述したように、放射線画像撮影装置１に放射線が照射された場合にノイズ検出手段５１で検出される信号値Ｓｇはほとんど変化しないが、放射線画像撮影装置１に振動が生じる等した場合にノイズ検出手段５１で検出される信号値Ｓｇは大きな値になる。一方、読み出し回路１７で読み出されるリークデータｄleakの値は、放射線が照射された場合も、放射線画像撮影装置１に振動が生じる等した場合も、いずれの場合も増加する。
【０２１３】
そのため、上記の第１の実施形態で比に基づいて放射線の照射開始の検出処理や誤検出の回避処理を行う場合には、読み出し回路１７で読み出されるリークデータｄleakの値が上昇して閾値ｄleak_th以上になった時点で、算出された比｜Ｓｇ｜／｜ｄleak｜が所定値未満である場合には放射線の照射が開始されたことを検出する。また、算出された比｜Ｓｇ｜／｜ｄleak｜が所定値以上である場合には放射線の照射が開始されたとは判断せず、放射線の照射開始を誤検出したと判断するように構成することが可能である。
【０２１４】
一方、第１の実施形態で説明したリークデータｄleakと信号値Ｓｇとの差分を用いる方法（上記の［放射線の照射開始の検出か誤検出かの判断方法２］参照）を、本実施形態に応用するように構成することも可能である。
【０２１５】
すなわち、この場合、放射線画像撮影装置１の制御手段２２は、上記の比に基づいて放射線の照射が開始されたか否かの判断処理を行う代わりに、或いはそれと並行して、例えば、ノイズ検出手段５１としての読み出し回路１７で検出された信号値Ｓｇの絶対値｜Ｓｇ｜から、ノイズ検出手段５１としての読み出し回路１８以外の他の読み出し回路１７で読み出されたリークデータｄleakの絶対値｜ｄleak｜を減算した差分が閾値未満である場合には、放射線の照射が開始されたことを検出する。
【０２１６】
また、上記の差分が閾値以上である場合には、信号値Ｓｇの方が読み出されたリークデータｄleakよりも振幅が大きいことを意味するため、放射線の照射が開始されたとは判断せず、放射線の照射開始を誤検出したと判断する。このように構成することも可能である。そして、このように構成すれば、上記と同様に、放射線の照射開始の検出処理や誤検出の回避処理を的確に行うことが可能となる。
【０２１７】
また、それとともに、ノイズ検出手段５１としての読み出し回路１７で検出された信号値Ｓｇと、読み出されたリークデータｄleakという２つの値を比較する代わりに差分という１つの値を対象として処理を行うことが可能となり、放射線の照射開始の検出処理や誤検出の回避処理をより簡便に行うことが可能となる。なお、この点は、上記の比を用いる場合も同様である。
【０２１８】
なお、このように、ノイズ検出手段５１としての読み出し回路１７で検出された信号値Ｓｇの絶対値｜Ｓｇ｜から、ノイズ検出手段５１としての読み出し回路１８以外の他の読み出し回路１７で読み出されたリークデータｄleakの絶対値｜ｄleak｜を減算した差分を用いて放射線の照射開始の検出処理や誤検出の回避処理を行うように構成する場合も、上記と同様に、他の読み出し回路１７として、検出部Ｐ（図３等参照）上でノイズ検出線５０としての信号線６に隣接する１本の信号線６に接続されている読み出し回路１７や、それを含む複数の信号線６に接続されている各読み出し回路１７を対象とするように構成することが可能である。
【０２１９】
そして、ノイズ検出線５０としての信号線６に隣接する信号線６を含む複数の信号線６に接続されている各読み出し回路１７を対象とする場合には、上記と同様に、例えば、それらから読み出されたリークデータｄleakの平均値や重み付け平均値を算出するように構成することが可能である。
【０２２０】
［第３の実施の形態］
第１の実施形態では、検出部Ｐの内外にノイズ検出線５０を設け、或いは信号線６や走査線５等をノイズ検出線５０として用い、それにノイズ検出手段５１を接続したり装置に既設の読み出し回路１７をノイズ検出手段５１として用いる等して、読み出し回路１７で読み出されたリークデータｄleakとノイズ検出手段５１で検出された信号値Ｓｇとに基づいて、実際に放射線が照射された場合にはそれを的確に検出し、また、放射線画像撮影装置１に生じた振動等や装置に加わる荷重の変動や、装置の筐体２内に入り込んだ電磁波等の影響で放射線の照射開始を誤検出することを的確に防止することについて説明した。
【０２２１】
一方、それ以外の構成によっても、読み出されたリークデータｄleak等の値が上昇したのが、放射線の照射が開始されたためか、或いは、放射線画像撮影装置１に生じた振動等や荷重変動や入り込んだ電磁波等の影響によるものかを見極めて、放射線の照射開始の誤検出が生じることを的確に防止することが可能である。以下、そのような構成等について説明する。
【０２２２】
図１３は、第３の実施形態に係る放射線画像撮影装置１の等価回路を表すブロック図である。なお、本実施形態では、上記の第１の実施形態と同じ部材や機能部等については、第１の実施形態と同じ符号を付して説明する。
【０２２３】
本実施形態では、図１３に示すように、バイアス線９やその結線１０上に電流検出手段６０を設け、電流検出手段６０でバイアス線９や結線１０中を流れる電流Ｉを検出して制御手段２２に出力するように構成されている。なお、本実施形態では、電流検出手段６０は、電流Ｉに相当する信号値として電圧値を出力するようになっているが、これに限定されない。また、以下では、電流検出手段６０から出力される信号値を、信号値Ｉと表す。
【０２２４】
そして、本実施形態では、制御手段２２は、読み出し回路１７で読み出されたリークデータｄleak等の値が閾値ｄleak_th等以上になった時点で、電流検出手段６０から出力された信号値Ｉがリークデータｄleak等の値と同相に変化したか逆相に変化したかに応じて、放射線の照射が開始されたことを検出したのか、或いは誤検出したのかを判断するように構成されている。
【０２２５】
以下、図１４（Ａ）〜（Ｃ）および図１５（Ａ）〜（Ｃ）の概略図等を用いて、この点について説明する。
【０２２６】
なお、図１４（Ａ）〜（Ｃ）および図１５（Ａ）〜（Ｃ）では、信号線６中を読み出し回路１７から放射線検出素子７に向かって電流が流れる場合（すなわち放射線検出素子７から電子が読み出し回路１７に流れ込む場合）に、読み出し回路１７で読み出されるリークデータｄleak等の値が正の値になり、また、バイアス電源１４から放射線検出素子７に向かってバイアス線９等を電流が流れる場合に、電流検出手段６０から正の値の信号値Ｉが出力される場合が示されている。
【０２２７】
放射線画像撮影装置１に放射線が照射され、放射線がシンチレーター３で光に変換されて、図１４（Ａ）に示すように放射線検出素子７に光が照射されると、放射線検出素子７内で電子正孔対が発生する。そして、放射線検出素子７内にはバイアス電源１４から逆バイアス電圧が印加されているため、ＴＦＴ８を介して信号線６が接続されている放射線検出素子７の第１電極７ａ側には電子が蓄積していき、バイアス線９が接続されている第２電極７ｂ側には正孔が蓄積していく。
【０２２８】
この場合、仮にＴＦＴ８が完全にオフの状態であるとしても、放射線検出素子７の第１電極７ａ側に電子が蓄積されていき、その電子がＴＦＴ８のソース電極８ｓまで流出すると、ＴＦＴ８のドレイン電極８ｄでは、電子が信号線６側に押しやられ、正孔がドレイン電極８ｄ側に引き付けられる。そのため、信号線６内では、読み出し回路１７からＴＦＴ８や放射線検出素子７側に向かって電流が流れる状態になる。
【０２２９】
また、実際には、前述したように、ＴＦＴ８に光が照射されると、ＴＦＴ８を介してリークする電流、すなわちＴＦＴ８のソース電極８ｓ側からドレイン電極８ｄ側にリークする電子の量が増加するため、信号線６内を読み出し回路１７からＴＦＴ８や放射線検出素子７側に向かって電流の量が増加する。
【０２３０】
従って、この状態で読み出し回路１７で読み出されるリークデータｄleak等の値は、図１４（Ｂ）に示すように、放射線画像撮影装置１に対する放射線の照射が開始された時点から正の方向に変化する。すなわち、リークデータｄleak等の値が正の値をとるように上昇する。
【０２３１】
一方、上記の状況、すなわち放射線画像撮影装置１に対する放射線の照射が開始されてシンチレーター３から放射線検出素子７に光が照射される状況では、上記のように、放射線検出素子７の第２電極７ｂ側には正孔が蓄積していく。そのため、バイアス線９内の正孔がバイアス電源１４側に押しやられ、バイアス線９内の電子が放射線検出素子７側に引き付けられる。そのため、バイアス線９や結線１０内では、放射線検出素子７からバイアス電源１４側に向かって電流が流れる状態になる。
【０２３２】
そのため、この状態で電流検出手段６０から出力される信号値Ｉは、図１４（Ｃ）に示すように、放射線画像撮影装置１に対する放射線の照射が開始された時点から負の方向に変化する。すなわち、信号値Ｉが負の値をとるように減少する。
【０２３３】
このように、上記のように構成した場合には、読み出し回路１７で読み出されるリークデータｄleak等の値と、電流検出手段６０から出力される信号値Ｉとは、逆相に変化することになる。つまり、簡単に言えば、この場合は、図１４（Ａ）に示すように、電流が読み出し回路１７側から信号線６やＴＦＴ８、放射線検出素子７、バイアス線９等を介してバイアス電源１４に流れ込む状態になる。
【０２３４】
それに対して、放射線画像撮影装置１に振動等が生じたり、加わる荷重に変動が生じたり、或いは装置の筐体２内に電磁波が入り込んだ場合には、読み出し回路１７で読み出されるリークデータｄleak等の値と、電流検出手段６０から出力される信号値Ｉとは、上記とは別の様相を見せるようになる。
【０２３５】
以下、前述した、放射線画像撮影装置１に生じた振動等や荷重変動によって平坦化層５２の上面やシンチレーター基板３４に蓄積されている静電気の影響が信号線６に及び、信号線６に電流が発生する場合を例に挙げて説明する。
【０２３６】
この場合、図１１を用いて説明したように、信号線６と平坦化層５２の上面との間には樹脂で形成された平坦化層５２が介在しているため、信号線６と平坦化層５２の上面との間で一種のコンデンサーのような構成ができており、コンデンサー様の構成を介して、平坦化層５２の上面に蓄積した静電気の影響が信号線６に及ぶ。
【０２３７】
すなわち、図１５（Ａ）に示すように、このコンデンサー様の構成を仮にコンデンサーＣとして表すと、例えば放射線画像撮影装置１に振動等が生じる等して平坦化層５２の上面とシンチレーター基板３４との間隔が変わり、それらの間の寄生容量が変化して、平坦化層５２の上面に蓄積されている静電気の量が変化すると、信号線６と平坦化層５２の上面との間で一種のコンデンサー様の構成（図１５（Ａ）におけるコンデンサーＣ参照。以下、簡単にコンデンサーＣという。）を介して信号線６内の電荷量が変化する。そのため、信号線６やバイアス線９等を電流が流れる。
【０２３８】
具体的に説明すると、例えば、放射線画像撮影装置１に振動等が生じる等して、平坦化層５２の上面の静電気の量が変化して、より多くの電子が蓄積される状態になると、信号線６内では電子がコンデンサーＣの部分から遠ざかるように移動し、正孔がコンデンサーＣの部分に引き付けられるように移動する。そのため、この場合は、図１５（Ａ）に示すように、信号線６やバイアス線９等を、電流が、読み出し回路１７やバイアス電源１４からコンデンサーＣに向かうように流れる。
【０２３９】
また、放射線画像撮影装置１に振動等が生じる等して、平坦化層５２の上面の静電気の量が変化して、例えば、より多くの正孔が蓄積される状態になると、信号線６内で正孔がコンデンサーＣの部分から遠ざかるように移動し、電子がコンデンサーＣの部分に引き付けられるように移動する。そのため、図示を省略するが、上記の場合とは逆に、コンデンサーＣから読み出し回路１７やバイアス電源１４からコンデンサーＣに向かうように信号線６やバイアス線９中を電流が流れる。
【０２４０】
そのため、上記のように構成した場合、放射線画像撮影装置１に振動等が生じたり、加わる荷重に変動が生じたり、或いは装置の筐体２内に電磁波が入り込んだ場合には、図１４（Ｂ）、（Ｃ）に示した放射線の照射開始の場合と異なり、図１５（Ｂ）、（Ｃ）に示すように、読み出し回路１７で読み出されるリークデータｄleak等の値と、電流検出手段６０から出力される信号値Ｉとが、同相に変化することになる。
【０２４１】
このように、本実施形態のようにバイアス線９やその結線１０中を流れる電流検出手段６０を設けると、放射線画像撮影装置１に対する放射線の照射が開始された場合と、放射線画像撮影装置１に振動等が生じた場合等とで、読み出し回路１７で読み出されるリークデータｄleak等の値の変化の方向（すなわち変化の相）と、電流検出手段６０から出力される信号値Ｉの変化の方向（すなわち変化の相）とが、同相になったり逆相になったりして変わることが本発明者らの研究で分かった。
【０２４２】
なお、上記の例では、放射線の照射開始の場合にリークデータｄleak等の値と信号値Ｉとが逆相に変化し、放射線画像撮影装置１に振動等が生じた場合等にはそれらが同相に変化する場合を示したが、これは信号線６やバイアス線９等を流れる電流がどの向きの場合に正とするか等の決め方や、電流検出手段６０がバイアス線９等にどの向きに電流が流れた場合に正の値を出力するか等の電流検出手段６０の構成等によって変化の相が逆になる場合もある。
【０２４３】
しかし、例えば、放射線の照射開始の場合にリークデータｄleak等の値と信号値Ｉとが逆相に変化する場合に、放射線画像撮影装置１に振動等が生じた場合等にもリークデータｄleak等の値と信号値Ｉとが逆相に変化することはあり得ず、また、その逆、すなわち放射線の照射開始の場合にリークデータｄleak等の値と信号値Ｉとが同相に変化する場合に、放射線画像撮影装置１に振動等が生じた場合等にもリークデータｄleak等の値と信号値Ｉとが同相に変化することはあり得ないことが、本発明者らの研究で分かった。
【０２４４】
つまり、放射線画像撮影装置１に対する放射線の照射が開始された場合と、放射線画像撮影装置１に振動等が生じた場合等とで、上記のように、リークデータｄleak等の値の変化の相と信号値Ｉの変化の相との関係が変わる。
【０２４５】
そこで、本実施形態では、放射線画像撮影装置１内で上記のような現象が生じることを利用して、読み出し回路１７で読み出されたリークデータｄleak等の値が閾値ｄleak_th等以上になった時点で、電流検出手段６０から出力された信号値Ｉがリークデータｄleak等の値と同相に変化したか逆相に変化したかに応じて、放射線の照射が開始されたことを検出したのか、或いは誤検出したのかを判断するようになっている。
【０２４６】
具体的には、例えば上記の例のように、放射線画像撮影装置１が、放射線の照射が開始された際には図１４（Ｂ）、（Ｃ）に示したようにリークデータｄleak等の値と信号値Ｉとが逆相に変化し、放射線画像撮影装置１に振動等が生じた際等には図１５（Ｂ）、（Ｃ）に示したようにそれらが同相に変化するように構成されている場合、制御手段２２は、読み出されたリークデータｄleak等の値が閾値ｄleak_th等以上になった時点で、電流検出手段６０から出力された信号値Ｉをチェックする。
【０２４７】
また、信号値Ｉがリークデータｄleak等の値と逆相に変化している場合には、放射線画像撮影装置１に対する放射線の照射が開始されたと判断して照射開始を検出し、信号値Ｉがリークデータｄleak等の値と同相に変化している場合には、放射線画像撮影装置１に振動等が生じる等して、放射線の照射開始が誤検出されたと判断するように構成される。
【０２４８】
そして、このように構成することで、放射線画像撮影装置１に対して放射線の照射が開始された場合には放射線の照射が開始されたと的確に判断して照射開始を的確に検出することが可能となる。また、放射線画像撮影装置１に振動等が生じたり、加わる荷重が変動したり、或いは、放射線画像撮影装置１の筐体２内に電磁波が入り込んだりして、読み出されるリークデータｄleak等の値が閾値ｄleak_th等以上になった場合には、それを振動等による誤検出であると的確に判断することが可能となる。
【０２４９】
以上のように、本実施形態に係る放射線画像撮影装置１によれば、放射線画像撮影装置１に対する放射線の照射が開始された場合と、放射線画像撮影装置１に振動等が生じた場合等とで、図１４（Ｂ）、（Ｃ）や図１５（Ｂ）、（Ｃ）に示したように、リークデータｄleak等の値の変化の相と信号値Ｉの変化の相との関係が変わるという知見を利用する。
【０２５０】
そして、制御手段２２で、読み出し回路１７で読み出されたリークデータｄleak等の値が閾値ｄleak_th等以上になった時点で、電流検出手段６０から出力された信号値Ｉがリークデータｄleak等の値と同相に変化したか逆相に変化したかに応じて、放射線の照射が開始されたことを検出したか誤検出したかを判断するように構成する。
【０２５１】
このように構成することで、放射線画像撮影装置１に対して放射線の照射が開始された場合には放射線の照射が開始されたと的確に判断して照射開始を的確に検出することが可能となる。
【０２５２】
また、放射線画像撮影装置１に振動等が生じたり、加わる荷重が変動したり、或いは、放射線画像撮影装置１の筐体２内に電磁波が入り込む等しても、振動等による誤検出であると的確に判別して、放射線の照射開始の誤検出が生じることを的確に防止することが可能となる。
【０２５３】
そのため、放射線の照射開始を誤検出してしまい、無駄に画像データＤが読み出される等して放射線画像撮影装置１の電力が無駄に消費されてしまう等の問題が生じることを的確に防止することが可能となる。また、放射線技師等の操作者が、放射線の照射開始を誤検出した放射線画像撮影装置１を元の放射線の照射開始の検出処理を行う状態に戻す処理を行うことも不要になり、放射線画像撮影装置１が操作者にとって使い勝手が良いものとなる。
【０２５４】
なお、本実施形態においても、第１の実施形態における［判断方法２］のように、読み出されたリークデータｄleak等の値から、信号値Ｉを定数倍した値を減算して減算値を算出し、その減算値が閾値以上になった時点で、放射線の照射が開始されたことを検出するように構成することも可能である。
【０２５５】
ただし、この場合は、図１４（Ｂ）、（Ｃ）や図１５（Ｂ）、（Ｃ）に示したように、放射線の照射開始の場合にリークデータｄleak等の値と信号値Ｉとが逆相に変化し、放射線画像撮影装置１に振動等が生じた場合等にはそれらが同相に変化するように構成することが必要となる。
【０２５６】
［変形例１］
上記の第１の実施形態から第３の実施形態のうちのいずれか２つ、或いは全ての実施形態を組み合わせ、例えば組み合わせた２つ或いは３つの実施形態における全ての判断結果がいずれも放射線の照射が開始されたという判断である場合にのみ、制御手段２２が放射線の照射開始を検出するように構成したり、或いは、組み合わせた３つの実施形態における判断結果のうち２つ以上が放射線の照射が開始されたという判断である場合に、制御手段２２が放射線の照射開始を検出するように構成する等して、放射線の照射開始の検出処理の精度を向上させるように構成することも可能である。
【０２５７】
［変形例２］
また、放射線画像撮影装置１の筐体２内に電磁波が入り込んだ場合には、電磁波は筐体２内の全域に伝播する。そのため、放射線画像撮影装置１内にノイズ検出線５０が複数設けられている場合には、筐体２内に電磁波が入り込むと、各ノイズ検出線５０にそれぞれ接続された各ノイズ検出手段５１（読み出し回路１７である場合を含む。以下同じ。）から出力された各信号値Ｓｇは、電磁波の影響で全体的に一様に増加したり減少したりする。
【０２５８】
一方、放射線画像撮影装置１に振動等が生じたり、加わった荷重が変動する等して、平坦化層５２の上面とシンチレーター基板３４との間隔が変化し、それらに帯電する静電気の電荷量が変化する場合、前述したように、その影響が、振動等が生じたり荷重が変動する等した部分に対応する検出部Ｐ上の位置のみに局所的に現れる場合がある。
【０２５９】
そのような場合、各ノイズ検出線５０のうち、振動等が生じたり荷重が変動する等した部分に対応する検出部Ｐ上の位置に配置されたノイズ検出線５０に接続されているノイズ検出手段５１から出力された信号値Ｓｇは、振動等や荷重変動に伴って変動する。しかし、それ以外の検出部Ｐ上の位置に配置されたノイズ検出線５０に接続されているノイズ検出手段５１から出力された信号値Ｓｇは、さほど変動しない。
【０２６０】
そのため、装置に大きな振動等や荷重変動が生じた場合には、全てのノイズ検出線５０について出力された信号値Ｓｇが所定値Ｓｇth以上になり得るが、装置に生じた振動等や荷重変動の大きさがさほど大きくない場合には、信号値Ｓｇが所定値Ｓｇth以上になるノイズ検出線５０が限られる場合がある。
【０２６１】
そして、このように、一部のノイズ検出線５０について信号値Ｓｇが所定値Ｓｇth以上になったとして装置に振動等が生じたり荷重変動が生じたと判断できる状況であっても、それ以外のノイズ検出線５０（すなわち信号値Ｓｇが所定値Ｓｇth未満のノイズ検出線５０）が配置された検出部Ｐの位置に配置されている信号線６を介して読み出されたリークデータｄleak等の値が閾値ｄleak_th等以上になった場合には、放射線画像撮影装置１に振動等が生じたが、それと同時に、放射線画像撮影装置１に対する放射線の照射も開始されたと判断することができる。
【０２６２】
特に、上記のように、信号値Ｓｇが所定値Ｓｇth以上になった一部のノイズ検出線５０からより離れた位置に配置された信号値Ｓｇが所定値Ｓｇth未満のノイズ検出線５０が配置された検出部Ｐの位置に配置されている信号線６を介して読み出されたリークデータｄleak等の値が閾値ｄleak_th等以上になった場合には、この場合は明らかに放射線画像撮影装置１に対する放射線の照射も開始されたと判断することが可能である。
【０２６３】
このように、制御手段２２において放射線の照射開始の検出、誤検出を判断する際に、例えば上記のように、信号値Ｓｇが所定値Ｓｇth以上になったノイズ検出線５０が配置された検出部Ｐ上の位置と、リークデータｄleak等の値が閾値ｄleak_th等以上になった信号線６が配置された検出部Ｐ上の位置とを対比するように構成する等して、リークデータｄleak等の値が閾値ｄleak_th等以上になった時点で、ノイズ検出手段５１で検出された信号値Ｓｇが所定値Ｓｇth以上である場合であっても、即座に誤検出とするのではなく、装置に振動等が生じることと、放射線の照射開始とが同時に生じていないか否かを判断するように構成することも可能である。
【０２６４】
このように構成すれば、実際に放射線の照射が開始されている場合には、それと同時に装置に振動等が生じた場合であっても、放射線の照射開始を的確に検出することが可能となる。
【０２６５】
［変形例３］
また、上記の第１の実施形態における［例３］では、いわば画像データＤの読み出し処理には使えない状態になっている信号線６等を、ノイズ検出線５０すなわち装置に振動等が生じたか否かを検出するためのアンテナとして再利用する場合について説明した。
【０２６６】
そして、その応用として、画像データＤが読み出せない状態になっている放射線検出素子７（以下、簡単に欠陥画素という。）を装置に振動等が生じたか否かを検出するためのアンテナとして再利用するように構成することも可能である。
【０２６７】
放射線画像撮影装置１は、全ての放射線検出素子７で画像データＤを読み出すことができるように構成されていることが理想であるが、現実の放射線画像撮影装置１では、放射線検出素子７の中に、一定の割合で、何らかの理由で画像データＤを読み出すことができない状態になっている放射線検出素子７Ａすなわち欠陥画素７Ａが存在する。
【０２６８】
そこで、例えば以下のように構成することで、欠陥画素７Ａを装置に振動等が生じたか否かを検出するためのアンテナとして活用することが可能となる。
【０２６９】
この場合、例えば上記の検出方法２を用いて放射線の照射開始を検出するように構成し、制御手段２２は、放射線画像撮影前から走査駆動手段１５や読み出し回路１７（図３等参照）の動作を制御し、画像データＤの読み出し処理と同様にして、照射開始検出用のデータｄの読み出し処理を行うように構成する。
【０２７０】
なお、この場合、前述したように、読み出し回路１７で読み出された照射開始検出用のデータｄ自体に基づいて放射線の照射開始を検出するように構成してもよく、また、読み出された照射開始検出用のデータｄから算出される値（例えば照射開始検出用のデータｄの読み出しＩＣ１６ごとの平均値等）に基づいて、放射線の照射開始を検出するように構成してもよい。
【０２７１】
ここで、例えば図１６に示すように検出部Ｐ上に欠陥画素７Ａ（斜線を付した画素参照）が存在するものとする。そして、例えばある特定の信号線６に着目すると、放射線画像撮影前の放射線の照射開始の検出処理（検出方法２の場合）において、走査駆動手段１５のゲートドライバー１５ｂから欠陥画素でない正常な放射線検出素子７のＴＦＴ８（図１６では図示省略）にオン電圧が印加されると、通常通り、その放射線検出素子７からは照射開始検出用のデータｄが読み出される。
【０２７２】
一方、走査駆動手段１５のゲートドライバー１５ｂから欠陥画素７ＡのＴＦＴ８にオン電圧が印加されると、この場合には、その欠陥画素７Ａからは照射開始検出用のデータｄは読み出されない。そして、例えばこの欠陥画素７Ａから信号線６に異常に大きな電荷が流出する等の状況がなければ、欠陥画素７Ａから読み出し回路１７で読み出される信号値は、上記の信号線６等をノイズ検出線５０として用いた場合等に読み出される信号値Ｓｇと同じものになる。
【０２７３】
そこで、例えば、ゲートドライバー１５ｂから各走査線５にオン電圧を順次印加していき、欠陥画素７Ａでない正常な放射線検出素子７から読み出されたデータは照射開始検出用のデータｄであるため放射線の照射開始の検出処理の対象として用い、欠陥画素７Ａから読み出されたデータを上記の信号値Ｓｇとして用いるように構成することが可能である。
【０２７４】
なお、上記のように、実際には欠陥画素７Ａからはデータは読み出されないため、正確には、欠陥画素７Ａが接続されている信号線６について読み出し回路１７で読み出されたデータや信号値Ｓｇというべきであるが、以下では、簡単に欠陥画素７Ａから読み出されたデータや信号値Ｓｇという。
【０２７５】
そして、上記のように構成すれば、ある走査線５にオン電圧が印加されたタイミングで正常な放射線検出素子７から読み出された照射開始検出用のデータｄ或いはそれから算出される値（以下、照射開始検出用のデータｄ等という。）が上昇して閾値ｄth等以上になった時点で、それと同時に欠陥画素７Ａから読み出された信号値Ｓｇが所定値Ｓｇth未満であれば、放射線の照射が開始されたと判断する。
【０２７６】
また、読み出された照射開始検出用のデータｄ等が閾値ｄth等以上になった時点で、それと同時に欠陥画素７Ａから読み出された信号値Ｓｇが所定値Ｓｇth以上であれば、放射線画像撮影装置１に信号等が生じたと判断して、放射線の照射開始を誤検出したと判断するように構成することが可能である。
【０２７７】
このように構成すれば、上記の第１の実施形態の場合と同様に、放射線画像撮影装置１に対して放射線の照射が開始された場合には放射線の照射が開始されたと的確に判断して照射開始を的確に検出することが可能となる。また、放射線画像撮影装置１に振動等が生じたり、加わる荷重が変動したり、或いは、放射線画像撮影装置１の筐体２内に電磁波が入り込む等しても、振動等による誤検出であると的確に判別して、放射線の照射開始の誤検出が生じることを的確に防止することが可能となる。
【０２７８】
なお、上記のように構成する場合、各走査線５に少なくとも１つの欠陥画素７Ａが存在することが必要になるが、欠陥画素７Ａはランダムな位置に発生するものであるため、必ずしもそのような状態にはならない。そこで、そのような場合には、例えば、各走査線５に接続されている所定個の正常な放射線検出素子７のシンチレーター３に対向する側に遮光部材を設けて遮光する等して人工的に欠陥画素７Ａを形成するように構成することも可能である。
【０２７９】
［変形例４］
なお、上記の各実施形態や各変形例では、読み出された信号値Ｓｇや信号値Ｉを加工せずに、或いは定数α倍する程度の加工しかしない場合について説明したが、それらの信号値Ｓｇ、Ｉから所定の数値を算出し、その数値を、放射線画像撮影装置１に振動等が生じる等したか否かの判断に用いるように構成することも可能である。
【０２８０】
また、本発明が上記の各実施形態や変形例等に限定されず、本発明の趣旨を逸脱しない限り、適宜変更可能であることは言うまでもない。
【符号の説明】
【０２８１】
１  放射線画像撮影装置
３  シンチレーター
４  基板
５、５ａ  走査線
６、６ａ  信号線
７  放射線検出素子
７ａ  第１電極（一方の電極）
７ｂ  第２電極（他方の電極）
８  ＴＦＴ（スイッチ素子）
９  バイアス線
１２  フレキシブル回路基板
１５  走査駆動手段
１７  読み出し回路
２２  制御手段
５０  ノイズ検出線
５１  ノイズ検出手段
６０  電流検出手段
Ｄ  画像データ
ｄ  照射開始検出用のデータ（データ）
ｄleak  リークデータ（データ）
ｄleak_th  閾値
ｄth  閾値
Ｉ  電流
Ｐ  検出部
ｑ  電荷
Ｓｇ、Ｉ  信号値
Ｓｇth  所定値
α  定数
Δ  減算値
Δth  閾値
【図１】
2014150514.tif 000003
【図２】
2014150514.tif 000004
【図３】
2014150514.tif 000005
【図４】
2014150514.tif 000006
【図５】
2014150514.tif 000007
【図６】
2014150514.tif 000008
【図７】
2014150514.tif 000009
【図８】
2014150514.tif 000010
【図９】
2014150514.tif 000011
【図１０】
2014150514.tif 000012
【図１１】
2014150514.tif 000013
【図１２】
2014150514.tif 000014
【図１３】
2014150514.tif 000015
【図１４】
2014150514.tif 000016
【図１５】
2014150514.tif 000017
【図１６】
2014150514.tif 000018